(57)【要約】  移動局と下りリンクの共有チャネルを用いて通信を行う基地局装置は、上りリンクの共有チャネルと周波数多重される制御チャネルで、前記移動局から前記下りリンクの共有チャネルに対する送達確認情報を受信する受信手段；前記制御チャネルの無線品質を測定する測定手段；及び前記無線品質に基づいて、前記移動局が前記送達確認情報を送信したか否かを判定する判定手段；を具備する。また、移動局と下りリンクの共有チャネルを用いて通信を行う基地局装置での通信制御方法は、上りリンクの共有チャネルと周波数多重される制御チャネルで、前記移動局から前記下りリンクの共有チャネルに対する送達確認情報を受信するステップ；前記制御チャネルの無線品質を測定するステップ；及び前記無線品質に基づいて、前記移動局が前記送達確認情報を送信したか否かを判定するステップ；を有する。
2008105421.tif 000002
【特許請求の範囲】
【請求項１】
移動局と下りリンクの共有チャネルを用いて通信を行う基地局装置であって：
上りリンクの共有チャネルと周波数多重される制御チャネルで、前記移動局から前記下りリンクの共有チャネルに対する送達確認情報を受信する受信手段；
前記制御チャネルの無線品質を測定する測定手段；及び
前記無線品質に基づいて、前記移動局が前記送達確認情報を送信したか否かを判定する判定手段；
を具備する基地局装置。
【請求項２】
前記制御チャネルの無線品質は、
前記制御チャネルにおけるデータ復調用のリファレンス信号の受信電力と干渉電力との比；及び
前記制御チャネルにおける制御信号の受信電力と干渉電力との比；
のうち少なくとも１つである請求項１に記載の基地局装置。
【請求項３】
前記制御チャネルには、前記送達確認情報のみ、あるいは、前記送達確認情報と下りリンクの無線品質情報がマッピングされている請求項１に記載の基地局装置。
【請求項４】
前記判定手段は、前記無線品質が所定の閾値以下の場合に、前記移動局が前記送達確認情報を送信しなかったと判定する請求項１に記載の基地局装置。
【請求項５】
前記閾値は、前記制御チャネルに送達確認情報と下りリンクの無線品質情報がマッピングされている場合の閾値を、前記制御チャネルに送達確認情報のみがマッピングされている場合の閾値に比べて大きくする請求項４に記載の基地局装置。
【請求項６】
前記移動局が前記送達確認情報を送信しなかったと判定した場合に、前記送達確認情報に対応するデータを再送する再送手段；
をさらに有する請求項１に記載の基地局装置。
【請求項７】
移動局と下りリンクの共有チャネルを用いて通信を行う基地局装置での通信制御方法であって：
上りリンクの共有チャネルと周波数多重される制御チャネルで、前記移動局から前記下りリンクの共有チャネルに対する送達確認情報を受信するステップ；
前記制御チャネルの無線品質を測定するステップ；及び
前記無線品質に基づいて、前記移動局が前記送達確認情報を送信したか否かを判定するステップ；
を有する通信制御方法。
【発明の詳細な説明】
【技術分野】
【０００１】
本発明は、下りリンクにおいて直交周波数分割多重ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）を適用する基地局装置及び通信制御方法に関する。
【背景技術】
【０００２】
Ｗ−ＣＤＭＡやＨＳＤＰＡの後継となる通信方式、すなわちＬＴＥ（Ｌｏｎｇ  Ｔｅｒｍ  Ｅｖｏｌｕｔｉｏｎ）が、Ｗ−ＣＤＭＡの標準化団体３ＧＰＰにより検討され、無線アクセス方式として、下りリンクについてはＯＦＤＭ、上りリンクについてはＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が検討されている（例えば、非特許文献１参照）。【０００３】
ＯＦＤＭは、周波数帯域を複数の狭い周波数帯域（サブキャリア）に分割し、各周波数帯上にデータを載せて伝送を行う方式であり、サブキャリアを周波数上に、一部重なりあいながらも互いに干渉することなく密に並べることで、高速伝送を実現し、周波数の利用効率を上げることができる。【０００４】
ＳＣ−ＦＤＭＡは、周波数帯域を分割し、複数の端末間で異なる周波数帯域を用いて伝送することで、端末間の干渉を低減することができる伝送方式である。ＳＣ−ＦＤＭＡでは、送信電力の変動が小さくなる特徴を持つことから、端末の低消費電力化及び広いカバレッジを実現できる。【０００５】
上述したＬＴＥは、下りリンク及び上りリンクにおいて共有チャネルを用いた通信システムである。例えば、上りリンクにおいては、基地局装置は、サブフレーム毎（１ｍｓ毎）に、上記共有チャネルを用いて通信を行う移動局を選別し、選別した移動局に対して、下りリンクの制御チャネルを用いて、所定のサブフレームにおいて、上記共有チャネルを用いて通信を行うことを指示し、移動局は、上記下りリンクの制御チャネルに基づいて、上記共有チャネルを送信する。基地局装置は、移動局から送信された上記共有チャネルを受信し、復号を行う。ここで、上述したような、共有チャネルを用いて通信を行う移動局を選別する処理は、スケジューリング処理と呼ばれる。【０００６】
また、ＬＴＥでは、適応変調・符号化（Ａｄａｐｔｉｖｅ  Ｍｏｄｕｌａｔｉｏｎ  ａｎｄ  Ｃｏｄｉｎｇ）が適用されるため、上記共有チャネルの送信フォーマットはサブフレーム毎に異なる。ここで、上記送信フォーマットとは、例えば、周波数リソースであるリソースブロックの割り当て情報や変調方式、ペイロードサイズ、Ｒｅｄｕｎｄａｎｃｙ  Ｖｅｒｓｉｏｎパラメータやプロセス番号等のＨＡＲＱに関する情報や、ＭＩＭＯ適用時のリファレンス信号の系列等のＭＩＭＯに関する情報等である。【０００７】
ＬＴＥにおいては、上述した、当該サブフレームにおいて共有チャネルを用いて通信を行う移動局の識別情報や、上記共有チャネルの送信フォーマットは、物理下りリンク制御チャネルＰｈｙｓｉｃａｌ  Ｄｏｗｎｌｉｎｋ  Ｃｏｎｔｒｏｌ  Ｃｈａｎｎｅｌ（ＰＤＣＣＨ）によって通知される。尚、上記物理下りリンク制御チャネルＰＤＣＣＨは、ＤＬ  Ｌ１／Ｌ２  Ｃｏｎｔｒｏｌ  Ｃｈａｎｎｅｌとも呼ばれる。【０００８】
さらに、ＬＴＥのＭＡＣレイヤーでは、下りリンクと上りリンクの両方において、ハイブリッド自動再送制御(ＨＡＲＱ：Ｈｙｂｒｉｄ  Ａｕｔｏｍａｔｉｃ  Ｒｅｐｅａｔ  ｒｅＱｕｅｓｔ）が適用される。例えば、下りリンクにおいては、移動局は、ＤＬ−ＳＣＨのＣＲＣチェック結果に基づき、その送達確認情報であるＡｃｋｎｏｗｌｅｄｇｅｍｅｎｔ  Ｉｎｆｏｒｍａｔｉｏｎを上りリンクで送信する。基地局装置は、送達確認情報の内容に応じて再送制御を行う。送達確認情報の内容は、送信信号が適切に受信されたことを示す肯定応答(ＡＣＫ)又はそれが適切に受信されなかったことを示す否定応答(ＮＡＣＫ)の何れかで表現される。また、上りリンクにおいては、基地局装置は、ＵＬ−ＳＣＨのＣＲＣチェック結果に基づき、その送達確認情報であるＡｃｋｎｏｗｌｅｄｇｅｍｅｎｔ  Ｉｎｆｏｒｍａｔｉｏｎを下りリンクで送信する。移動局は、送達確認情報の内容に応じて再送制御を行う。送達確認情報の内容は、送信信号が適切に受信されたことを示す肯定応答(ＡＣＫ)又はそれが適切に受信されなかったことを示す否定応答(ＮＡＣＫ)の何れかで表現される。
【非特許文献１】3GPP TR 25.814 (V7.0.0), "Physical Layer Aspects for Evolved UTRA," June 2006
【発明の開示】
【発明が解決しようとする課題】
【０００９】
上述したスケジューリング処理やＨＡＲＱ処理においては、移動局において、上りリンクの共有チャネルを用いて通信を行う移動局の識別情報や、上記共有チャネルの送信フォーマットを通知する物理下りリンク制御チャネルが誤って復号された場合に、移動局は、上りリンクの共有チャネルを送信しない。一方で、基地局装置は、当該移動局に対して、上りリンクの共有チャネルを確保することになり、リソースを有効に利用することができないという問題が生じる。【００１０】
また、移動局において、下りリンクの共有チャネルを用いて通信を行う移動局の識別情報や、上記共有チャネルの送信フォーマットを通知する物理下りリンク制御チャネルが誤って復号された場合に、移動局は、当該下りリンクの共有チャネルを受信せず、結果として、移動局は、上りリンクにおいて、当該下りリンクの共有チャネルに対する送達確認情報を送信しない。この場合、基地局装置は、移動局が、実際に送達確認情報を送信したか否かを判定する必要がある。判定しない場合、送達確認情報にはＣＲＣ等の誤りをチェックする機能を有していないため、必ずＡＣＫまたはＮＡＣＫと判定されることになり、特にＡＣＫと判定された場合に問題となる。【００１１】
そこで、本発明は、上述した問題点に鑑み、その目的は、ＬＴＥの下りリンクと上りリンクにおいて、適切にスケジューリング処理やＨＡＲＱの処理を行うことのできる基地局装置及び通信制御方法を提供することにある。
【課題を解決するための手段】
【００１２】
上記課題を解決するため、本発明の基地局装置は、
移動局と下りリンクの共有チャネルを用いて通信を行う基地局装置であって：
上りリンクの共有チャネルと周波数多重される制御チャネルで、前記移動局から前記下りリンクの共有チャネルに対する送達確認情報を受信する受信手段；
前記制御チャネルの無線品質を測定する測定手段；及び
前記無線品質に基づいて、前記移動局が前記送達確認情報を送信したか否かを判定する判定手段；
を具備することを特徴の１つとする。【００１３】
上記課題を解決するため、本発明の通信制御方法は、
移動局と下りリンクの共有チャネルを用いて通信を行う基地局装置での通信制御方法であって：
上りリンクの共有チャネルと周波数多重される制御チャネルで、前記移動局から前記下りリンクの共有チャネルに対する送達確認情報を受信するステップ；
前記制御チャネルの無線品質を測定するステップ；及び
前記無線品質に基づいて、前記移動局が前記送達確認情報を送信したか否かを判定するステップ；
を有することを特徴の１つとする。
【発明の効果】
【００１４】
本発明の実施例によれば、ＬＴＥの下りリンクと上りリンクにおいて、適切にスケジューリング処理やＨＡＲＱの処理を行うことのできる基地局装置及び通信制御方法を実現できる。
【図面の簡単な説明】
【００１５】
【図１】本発明の実施例に係る無線通信システムの構成を示すブロック図である。
【図２】本発明の実施例に係る物理上りリンク制御チャネル及び物理上りリンク共有チャネルの関係を示す説明図である。
【図３】本発明の実施例に係るスロット及びサブフレームの構成を示す説明図である。
【図４】本発明の実施例に係る基地局装置を示す部分ブロック図である。
【図５】本発明の実施例に係る移動局と基地局装置の処理の時間関係を示す説明図（その１）である。
【図６】本発明の実施例に係る移動局と基地局装置の処理の時間関係を示す説明図（その２）である。
【図７】本発明の実施例に係る移動局と基地局装置の処理の時間関係を示す説明図（その３）である。
【図８Ａ】本発明の実施例に係る基地局装置のベースバンド信号処理部を示す部分ブロック図である。
【図８Ｂ】本発明の実施例に係る基地局装置のレイヤー１処理部を示す部分ブロック図である。
【図８Ｃ】本発明の実施例に係る基地局装置のレイヤー１処理部を示す部分ブロック図である。
【図８Ｄ】本発明の実施例に係る基地局装置のレイヤー１処理部を示す部分ブロック図である。
【図９】本発明の実施例に係る送信判定方法を示すフローチャートである。
【図１０】本発明の実施例に係る送達確認判定方法を示すフローチャートである。
【図１１】本発明の実施例に係るＣＱＩの信頼度判定方法を示すフローチャートである。
【図１２】本発明の実施例に係る送達確認情報受信方法を示すフローチャートである。
【図１３】ＰＵＣＣＨにおけるリソースの分割の仕方の一例である。
【図１４】本発明の実施例に係るＣＱＩ受信方法を示すフローチャートである。
【符号の説明】
【００１６】
２００  基地局装置
２０２  送受信アンテナ
２０４  アンプ部
２０６  送受信部
２０８  ベースバンド信号処理部
２１０  呼処理部
２１２  伝送路インターフェース
２０８１  レイヤー１処理部
２０８２  ＭＡＣ処理部
２０８３  ＲＬＣ処理部
【発明を実施するための最良の形態】
【００１７】
次に、本発明を実施するための最良の形態を、以下の実施例に基づき図面を参照しつつ説明する。【００１８】
なお、実施例を説明するための全図において、同一機能を有するものは同一符号を用い、繰り返しの説明は省略する。【００１９】
<無線通信システム及び通信チャネルの説明>
本発明の実施例に係る基地局装置が適用される無線通信システムについて、図１を参照して説明する。【００２０】
無線通信システム１０００は、例えばＥｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ、或いは、Ｓｕｐｅｒ  ３Ｇ）が適用されるシステムであり、基地局装置（ｅＮＢ：  ｅＮｏｄｅ  Ｂ）２００と複数の移動局装置（ＵＥ：  Ｕｓｅｒ  Ｅｑｕｉｐｍｅｎｔ）１００ｎ（１００１、１００２、１００３、・・・１００ｎ、ｎはｎ>０の整数）とを備える。基地局装置２００は、上位局、例えばアクセスゲートウェイ装置３００と接続され、アクセスゲートウェイ装置３００は、コアネットワーク４００と接続される。ここで、移動局装置１００ｎはセル５０において基地局装置２００とＥｖｏｌｖｅｄ  ＵＴＲＡ  ａｎｄ  ＵＴＲＡＮにより通信を行う。【００２１】
以下、移動局装置１００ｎ（１００１、１００２、１００３、・・・１００ｎ）については、同一の構成、機能、状態を有するので、以下では特段の断りがない限り移動局装置１００ｎとして説明を進める。【００２２】
無線通信システム１０００は、無線アクセス方式として、下りリンクについてはＯＦＤＭ（直交周波数分割多元接続）、上りリンクについてはＳＣ−ＦＤＭＡ（シングルキャリア−周波数分割多元接続）が適用される。上述したように、ＯＦＤＭは、周波数帯域を複数の狭い周波数帯域（サブキャリア）に分割し、各周波数帯上にデータを載せて伝送を行う方式である。ＳＣ−ＦＤＭＡは、周波数帯域を分割し、複数の端末間で異なる周波数帯域を用いて伝送することで、端末間の干渉を低減することができる伝送方式である。【００２３】
ここで、Ｅｖｏｌｖｅｄ  ＵＴＲＡ  ａｎｄ  ＵＴＲＡＮにおける通信チャネルについて説明する。【００２４】
下りリンクについては、各移動局１００ｎで共有して使用される物理下りリンク共有チャネル（ＰＤＳＣＨ：  Ｐｈｙｓｉｃａｌ  Ｄｏｗｎｌｉｎｋ  Ｓｈａｒｅｄ  Ｃｈａｎｎｅｌ）と、ＬＴＥ用の物理下りリンク制御チャネル（ＰＤＣＣＨ：  Ｐｈｙｓｉｃａｌ  Ｄｏｗｎｌｉｎｋ  Ｃｏｎｔｒｏｌ  Ｃｈａｎｎｅｌ）とが用いられる。下りリンクでは、ＬＴＥ用の下り制御チャネルにより、下り共有物理チャネルにマッピングされるユーザの情報やトランスポートフォーマットの情報、上り共有物理チャネルにマッピングされるユーザの情報やトランスポートフォーマットの情報、上り共有物理チャネルの送達確認情報などが通知される。または、物理下りリンク共有チャネルによりユーザデータが伝送される。上記ユーザデータは、トランスポートチャネルとしては、下りリンク共有チャネルＤｏｎｗｌｉｎｋ−Ｓｈａｒｅ  Ｃｈａｎｎｅｌ  （ＤＬ−ＳＣＨ）である。【００２５】
尚、上述した下り共有物理チャネルにマッピングされるユーザの情報やトランスポートフォーマットの情報は、Downlink Scheduling Information、あるいは、Downlink Scheduling Grant、あるいは、Downlink Assignment Informationと呼ばれてもよい。また、上述した上り共有物理チャネルにマッピングされるユーザの情報やトランスポートフォーマットの情報は、Uplink Scheduling Grantと呼ばれてもよい。【００２６】
上りリンクについては、各移動局１００ｎで共有して使用される物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）と、ＬＴＥ用の制御チャネルとが用いられる。図２に示すように、制御チャネルには、物理上りリンク共有チャネルと時間多重されるチャネルと、周波数多重されるチャネルの２種類がある。周波数多重されるチャネルは、物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）と呼ばれる。また、時間多重されるチャネルは、図２に示すように、サブフレームの先頭にマッピングされてもよいし、サブフレームの途中にマッピングされてもよい。サブフレームの途中とは、例えば、Demodulation Reference SignalがマッピングされるSC-FDMAシンボルに近いSC-FDMAシンボルにマッピングされてもよい。【００２７】
上りリンクでは、ＬＴＥ用の物理上りリンク制御チャネルにより、下りリンクにおける共有チャネルのスケジューリング、適応変復調・符号化（ＡＭＣ：  Ａｄａｐｔｉｖｅ  Ｍｏｄｕｌａｔｉｏｎ  ａｎｄ  Ｃｏｄｉｎｇ）に用いるための下りリンクの品質情報（ＣＱＩ：  Ｃｈａｎｎｅｌ  Ｑｕａｌｉｔｙ  Ｉｎｄｉｃａｔｏｒ）及び下りリンクの共有チャネルの送達確認情報（ＨＡＲＱ  ＡＣＫ  ｉｎｆｏｒｍａｔｉｏｎ）が伝送される。また、物理上りリンク共有チャネルによりユーザデータが伝送される。上記ユーザデータは、トランスポートチャネルとしては、上りリンク共有チャネルＵｐｌｉｎｋ−Ｓｈａｒｅ  Ｃｈａｎｎｅｌ  （ＵＬ−ＳＣＨ）である。【００２８】
上りリンク伝送では、１スロット当たり７個のＳＣ−ＦＤＭＡシンボルを用いる。そして、１サブフレームは、２スロットで構成される。すなわち、１サブフレームは、図３に示すように、１４個のＳＣ−ＦＤＭＡシンボルにより構成される。上記１４個のＳＣ−ＦＤＭＡシンボルの内の２個のＳＣ−ＦＤＭＡシンボルには、データ復調用のリファレンス信号（Ｄｅｍｏｄｕｌａｔｉｏｎ  ＲＳ：  Ｄｅｍｏｄｕｌａｔｉｏｎ  Ｒｅｆｅｒｅｎｃｅ  Ｓｉｇｎａｌ）がマッピングされる。また、上記１４個のＳＣ−ＦＤＭＡシンボルの内、上述したＤｅｍｏｄｕｌａｔｉｏｎ  ＲＳがマッピングされているＳＣ−ＦＤＭＡシンボル以外の１つのＳＣ−ＦＤＭＡシンボルにおいて、スケジューリングや上りリンクのＡＭＣ、ＴＰＣなど上り共有物理チャネルの送信フォーマットの決定に用いられるサウンディング用のリファレンス信号（Ｓｏｕｎｄｉｎｇ  ＲＳ：  Ｓｏｕｎｄｉｎｇ  Ｒｅｆｅｒｅｎｃｅ  Ｓｉｇｎａｌ）が送信される。ただし、上記Ｓｏｕｎｄｉｎｇ  ＲＳは必ずしもすべてのサブフレームにマッピングされる必要はない。上記Ｓｏｕｎｄｉｎｇ  ＲＳが送信されるＳＣ−ＦＤＭＡシンボルにおいては、Ｃｏｄｅ Ｄｉｖｉｓｉｏｎ Ｍｕｌｔｉｐｌｅｘｉｎｇ（ＣＤＭ）により複数の移動局からのＳｏｕｎｄｉｎｇ  ＲＳが多重される。上記Ｄｅｍｏｄｕｌａｔｉｏｎ  ＲＳは、例えば、１サブフレーム内の４番目のＳＣ−ＦＤＭＡシンボルと１１番目のＳＣ−ＦＤＭＡシンボルにマッピングされる。また、上記Ｓｏｕｎｄｉｎｇ  ＲＳは、例えば、１サブフレーム内の１番目のＳＣ−ＦＤＭＡシンボルにマッピングされる。【００２９】
尚、上述したCDMによる多重においては、加えて、ブロック拡散による多重が行われてもよい。【００３０】
図３に示すように、上りリンク伝送では、データの送信と共にデータ復調用リファレンス信号が送信される。従って、データ復調用のリファレンス信号のみを確認することで、データの送信の有無がわかる。【００３１】
<基地局装置の構成>
図４を参照しながら、本発明の実施例に係る基地局装置２００について説明する。【００３２】
本実施例に係る基地局装置２００は、送受信アンテナ２０２と、アンプ部２０４と、送受信部２０６と、ベースバンド信号処理部２０８と、呼処理部２１０と、伝送路インターフェース２１２とを備える。【００３３】
下りリンクにより基地局装置２００から移動局１００ｎに送信されるユーザデータは、基地局装置２００の上位に位置する上位局、例えばアクセスゲートウェイ装置３００から伝送路インターフェース２１２を介してベースバンド信号処理部２０８に入力される。【００３４】
ベースバンド信号処理部２０８では、PDCPレイヤの送信処理やユーザデータの分割・結合、ＲＬＣ（ｒａｄｉｏ  ｌｉｎｋ  ｃｏｎｔｒｏｌ）再送制御の送信処理などのＲＬＣレイヤーの送信処理、ＭＡＣ（Ｍｅｄｉｕｍ  Ａｃｃｅｓｓ  Ｃｏｎｔｒｏｌ）再送制御、例えばＨＡＲＱ（Ｈｙｂｒｉｄ  Ａｕｔｏｍａｔｉｃ  Ｒｅｐｅａｔ  ｒｅＱｕｅｓｔ）の送信処理、スケジューリング、伝送フォーマット選択、チャネル符号化、逆高速フーリエ変換（ＩＦＦＴ：  Ｉｎｖｅｒｓｅ  Ｆａｓｔ  Ｆｏｕｒｉｅｒ  Ｔｒａｎｓｆｏｒｍ）処理が行われて、送受信部２０６に転送される。また、下りリンクの制御チャネルである物理下りリンク制御チャネルの信号に関しても、チャネル符号化や逆高速フーリエ変更等の送信処理が行われて、送受信部２０６に転送される。【００３５】
送受信部２０６では、ベースバンド信号処理部２０８から出力されたベースバンド信号を無線周波数帯に変換する周波数変換処理が施され、その後、アンプ部２０４で増幅されて送受信アンテナ２０２より送信される。【００３６】
一方、上りリンクにより移動局１００ｎから基地局装置２００に送信されるデータについては、送受信アンテナ２０２で受信された無線周波数信号がアンプ部２０４で増幅され、送受信部２０６で周波数変換されてベースバンド信号に変換され、ベースバンド信号処理部２０８に入力される。【００３７】
ベースバンド信号処理部２０８では、入力されたベースバンド信号に含まれるユーザデータに対して、ＦＦＴ処理、IDFT処理、誤り訂正復号、ＭＡＣ再送制御の受信処理、ＲＬＣレイヤーの受信処理、PDCPレイヤの受信処理等がなされ、伝送路インターフェース２１２を介してアクセスゲートウェイ装置３００に転送される。【００３８】
また、図５を参照して説明するように、ベースバンド信号処理部２０８は、前記上りリンクの共有チャネルの電力判定を行い、移動局が実際に上りリンクの共有チャネルを送信したか否かの判定を行う。この判定結果に基づいて、上りリンクのリソース管理の処理が行われる。【００３９】
図５は、上述した移動局１００ｎと基地局装置２００の処理を時間の観点から説明するための図である。図５（Ａ）に示すように、例えば、＃ｉのサブフレームにおいて、基地局装置２００は、サブフレーム＃ｉ＋３のＰＵＳＣＨを用いて通信を行うユーザのＩＤや、そのユーザデータのトランスポートフォーマットの情報、すなわち、Ｕｐｌｉｎｋ  Ｓｃｈｅｄｕｌｉｎｇ  Ｇｒａｎｔを、物理下りリンク制御チャネルを用いて移動局１００ｎに通知する(１００２)。＃ｉのサブフレームにおいて、移動局１００ｎは、上記物理下りリンク制御チャネルを受信する(１００４)。移動局１００ｎは、上記物理下りリンク制御チャネルに含まれる、サブフレーム＃ｉ＋３のＰＵＳＣＨを用いて通信を行うユーザのＩＤが、自局のＩＤである場合には、上記物理下りリンク制御チャネルに含まれるトランスポートフォーマットの情報、すなわち、Ｕｐｌｉｎｋ  Ｓｃｈｅｄｕｌｉｎｇ  Ｇｒａｎｔに基づき、サブフレーム＃ｉ＋３においてＰＵＳＣＨを送信する（１００６）。基地局装置２００は、タイミング１００２において、サブフレーム＃ｉ＋３においてＰＵＳＣＨを用いた通信を行うことを通知した移動局からのＰＵＳＣＨの受信処理を行う（１００８）。【００４０】
図５（Ｂ）に示すように、基地局装置２００が送信した物理下りリンク制御チャネル（１０１２）を正常に受信できなかった場合には（１０１４）、移動局１００ｎは、サブフレーム＃ｉ＋３でＰＵＳＣＨを送信しない（１０１６）。したがって、基地局装置２００もサブフレーム＃ｉ＋３において移動局１００ｎからＰＵＳＣＨを受信しない（１０１８）。したがって、１００８及び１０１８において、基地局装置２００は、データ復調用のリファレンス信号を確認することで、上りリンクの共有チャネルの電力判定を行うことができる。【００４１】
尚、上述した例では、＃ｉのサブフレームにおいて移動局１００ｎに対して送信される、ＰＵＳＣＨを用いて通信を行うユーザのＩＤや、そのユーザデータのトランスポートフォーマットの情報、すなわち、Ｕｐｌｉｎｋ  Ｓｃｈｅｄｕｌｉｎｇ  Ｇｒａｎｔに対するＰＵＳＣＨ（ＵＬ−ＳＣＨ）に対して電力判定を行う例を示したが、代わりに、ＰＵＳＣＨ（ＵＬ−ＳＣＨ）の送達確認情報としてＮＡＣＫを送信した場合の、上記ＮＡＣＫに基づいて再送されるＰＵＳＣＨ（ＵＬ−ＳＣＨ）に関しても、同様の電力判定が適用される。この場合の上述した移動局１００ｎと基地局装置２００の処理を、図６を用いて説明する。【００４２】
図６（Ａ）に示すように、例えば、＃ｉのサブフレームにおいて、基地局装置２００は、サブフレーム＃ｉ＋３のＰＵＳＣＨを用いて通信を行うユーザのＩＤや、そのユーザデータのトランスポートフォーマットの情報、すなわち、Ｕｐｌｉｎｋ  Ｓｃｈｅｄｕｌｉｎｇ  Ｇｒａｎｔを、物理下りリンク制御チャネルを用いて移動局１００ｎに通知する(１２０２)。＃ｉのサブフレームにおいて、移動局１００ｎは、上記物理下りリンク制御チャネルを受信する(１２０４)。移動局１００ｎは、上記物理下りリンク制御チャネルに含まれる、サブフレーム＃ｉ＋３のＰＵＳＣＨを用いて通信を行うユーザのＩＤが、自局のＩＤである場合には、上記物理下りリンク制御チャネルに含まれるトランスポートフォーマットの情報、すなわち、Ｕｐｌｉｎｋ  Ｓｃｈｅｄｕｌｉｎｇ  Ｇｒａｎｔに基づき、サブフレーム＃ｉ＋３においてＰＵＳＣＨを送信する（１２０６）。基地局装置２００は、タイミング１２０８において、サブフレーム＃ｉ＋３においてＰＵＳＣＨを用いた通信を行うことを通知した移動局からのＰＵＳＣＨの受信処理を行い、正常に復号できなかったと判定する（ＣＲＣ  Ｃｈｅｃｋ結果ＮＧと判定する）（１２０８）。この場合、基地局装置２００は、１２１０において、当該移動局に対して、上記ＰＵＳＣＨ（トランスポートチャネルとしてはＵＬ−ＳＣＨ）の送達確認情報としてＮＡＣＫを送信する。移動局は、１２１２において、上記ＮＡＣＫを受信したため、所定のタイミング、すなわち、サブフレーム＃ｉ＋９においてＰＵＳＣＨを送信する（１２１４）。基地局装置２００は、タイミング１２１６において、ＮＡＣＫを送信した移動局からのＰＵＳＣＨの受信処理を行う。【００４３】
図６（Ｂ）に示すように、例えば、＃ｉのサブフレームにおいて、基地局装置２００は、サブフレーム＃ｉ＋３のＰＵＳＣＨを用いて通信を行うユーザのＩＤや、そのユーザデータのトランスポートフォーマットの情報、すなわち、Ｕｐｌｉｎｋ  Ｓｃｈｅｄｕｌｉｎｇ  Ｇｒａｎｔを、物理下りリンク制御チャネルを用いて移動局１００ｎに通知する(１２２２)。＃ｉのサブフレームにおいて、移動局１００ｎは、上記物理下りリンク制御チャネルを受信する(１２２４)。移動局１００ｎは、上記物理下りリンク制御チャネルに含まれる、サブフレーム＃ｉ＋３のＰＵＳＣＨを用いて通信を行うユーザのＩＤが、自局のＩＤである場合には、上記物理下りリンク制御チャネルに含まれるトランスポートフォーマットの情報、すなわち、Ｕｐｌｉｎｋ  Ｓｃｈｅｄｕｌｉｎｇ  Ｇｒａｎｔに基づき、サブフレーム＃ｉ＋３においてＰＵＳＣＨを送信する（１２２６）。基地局装置２００は、タイミング１２２８において、サブフレーム＃ｉ＋３においてＰＵＳＣＨを用いた通信を行うことを通知した移動局からのＰＵＳＣＨの受信処理を行い、正常に復号できなかったと判定する（ＣＲＣ  Ｃｈｅｃｋ結果ＮＧと判定する）（１２２８）。この場合、基地局装置２００は、１２３０において、当該移動局に対して、上記ＰＵＳＣＨ（トランスポートチャネルとしてはＵＬ−ＳＣＨ）の送達確認情報としてＮＡＣＫを送信する。移動局は、１２３２において、上記ＮＡＣＫを誤ってＡＣＫと判定した場合には(１２３２)、移動局１００ｎは、サブフレーム＃ｉ＋９でＰＵＳＣＨを送信しない（１２３４）。したがって、基地局装置２００もサブフレーム＃ｉ＋９において移動局１００ｎからＰＵＳＣＨを受信しない（１２３６）。したがって、１２１６及び１２３６において、基地局装置２００は、データ復調用のリファレンス信号を確認することで、上りリンクの共有チャネルの電力判定を行うことができる。【００４４】
さらに、図７を参照して説明するように、ベースバンド信号処理部２０８は、受信信号中の所定の部分の電力判定を行い、移動局が実際に送達確認情報を送信したか否かの判定を行う。この判定結果に基づいて、ＭＡＣ再送制御の送信処理が行われる。尚、以下の説明では、当該サブフレームにおいて、当該移動局からＰＵＳＣＨが送信されず、かつ、送達確認情報が送信される場合に関して、説明を行う。この場合、ＰＵＳＣＨと周波数多重される制御チャネルである、物理上りリンク制御チャネル（ＰＵＣＣＨ）により上記送達確認情報が送信される。【００４５】
図７は、上述した移動局１００ｎと基地局装置２００の処理を時間の観点から説明するための図である。図７（Ａ）に示すように、例えば、＃ｉのサブフレームにおいて、基地局装置２００は、サブフレーム＃ｉのＰＤＳＣＨを用いて通信を行うユーザのＩＤや、そのユーザデータのトランスポートフォーマットの情報、すなわち、Ｄｏｗｎｌｉｎｋ  Ｓｃｈｅｄｕｌｉｎｇ  Ｉｎｆｏｒｍａｔｉｏｎを、物理下りリンク制御チャネルを用いて移動局１００ｎに通知する(１１０２)。また、基地局装置２００は、サブフレーム＃iのサブフレームにおいて、上記Ｄｏｗｎｌｉｎｋ  Ｓｃｈｅｄｕｌｉｎｇ  Ｉｎｆｏｒｍａｔｉｏｎに対応するPDSCHを移動局１００nに送信する（１１０２）。＃ｉのサブフレームにおいて、移動局１００ｎは、上記物理下りリンク制御チャネルを受信する(１１０４)。そして、移動局１００ｎは、上記物理下りリンク制御チャネルに含まれる、サブフレーム＃ｉのＰＤＳＣＨを用いて通信を行うユーザのＩＤが、自局のＩＤである場合には、上記物理下りリンク制御チャネルに含まれるトランスポートフォーマットの情報、すなわち、Ｄｏｗｎｌｉｎｋ  Ｓｃｈｅｄｕｌｉｎｇ  Ｉｎｆｏｒｍａｔｉｏｎに基づき、ＰＤＳＣＨを受信する（１１０４）。移動局１００ｎは、タイミング１１０４においてＰＤＳＣＨを受信した際のＣＲＣチェック結果に基づいた送達確認情報を、サブフレーム＃ｉ＋３の上り制御チャネルＰＵＣＣＨを用いて送信する（１１０６）。基地局装置２００は、タイミング１１０２において、サブフレーム＃ｉにおいてＰＤＳＣＨを用いた通信を行うことを通知した移動局からの送達確認情報の受信処理を行う（１１０８）。【００４６】
図７（Ｂ）に示すように、基地局装置２００が送信した物理下りリンク制御チャネル（１１１２）を正常に受信できなかった場合には（１１１４）、移動局１００ｎは、下りリンクの共有データチャネルＰＤＳＣＨを受信しないため、サブフレーム＃ｉ＋３でＰＤＳＣＨを受信した際のＣＲＣチェック結果に基づいた送達確認情報を送信しない、すなわち、上り制御チャネルＰＵＣＣＨを送信しない（１１１６）。したがって、基地局装置２００もサブフレーム＃ｉ＋３において移動局１００ｎからＰＵＣＣＨを受信しない（１１１８）。したがって、１１０８及び１１１８において、基地局装置２００は、データ復調用のリファレンス信号を確認することで、送達確認情報のＳＩＲ判定を行うことができる。すなわち、基地局装置２００は、実際に移動局１００nが、送達確認情報を送信したか否かの判定を行うことができる。さらに言えば、基地局装置２００は、実際に移動局１００nが、Ｄｏｗｎｌｉｎｋ  Ｓｃｈｅｄｕｌｉｎｇ  Ｉｎｆｏｒｍａｔｉｏｎを受信したか否かの判定を行うことができる。【００４７】
呼処理部２１０は、通信チャネルの設定や解放等の呼処理や、無線基地局２００の状態管理や、無線リソースの管理を行う。【００４８】
図８Ａを参照しながら、ベースバンド信号処理部２０８の構成について説明する。【００４９】
図８Ａに示すように、ベースバンド信号処理部２０８は、レイヤー１処理部２０８１と、ＭＡＣ処理部２０８２と、ＲＬＣ処理部２０８３とを備える。【００５０】
ベースバンド信号処理部２０８におけるレイヤー１処理部２０８１とＭＡＣ処理部２０８２と呼処理部２１０とは、互いに接続されている。【００５１】
レイヤー１処理部２０８１では、下りリンクで送信される共有チャネルのチャネル符号化やＩＦＦＴ処理、上りリンクで送信される共有チャネルのＦＦＴ処理やIDFT処理、チャネル復号化等の受信処理などが行われる。【００５２】
レイヤー１処理部２０８１は、物理下りリンク共有チャネルを用いて通信を行うユーザのＩＤや、そのユーザデータのトランスポートフォーマットの情報、すなわち、Ｄｏｗｎｌｉｎｋ  Ｓｃｈｅｄｕｌｉｎｇ  Ｉｎｆｏｒｍａｔｉｏｎ、及び、物理上りリンク共有チャネルを用いて通信を行うユーザのＩＤや、そのユーザデータのトランスポートフォーマットの情報、すなわち、Ｕｐｌｉｎｋ  Ｓｃｈｅｄｕｌｉｎｇ  ＧｒａｎｔをＭＡＣ処理部２０８２から受け取る。また、レイヤー１処理部２０８１は、上記物理下りリンク共有チャネルを用いて通信を行うユーザのＩＤや、そのユーザデータのトランスポートフォーマットの情報、すなわち、Ｄｏｗｎｌｉｎｋ  Ｓｃｈｅｄｕｌｉｎｇ  Ｉｎｆｏｒｍａｔｉｏｎ、及び、物理上りリンク共有チャネルを用いて通信を行うユーザのＩＤや、そのユーザデータのトランスポートフォーマットの情報、すなわち、Ｕｐｌｉｎｋ  Ｓｃｈｅｄｕｌｉｎｇ  Ｇｒａｎｔに対して、チャネル符号化やＩＦＦＴ処理等の送信処理を行う。上記物理下りリンク共有チャネルを用いて通信を行うユーザのＩＤや、そのユーザデータのトランスポートフォーマットの情報、すなわち、Ｄｏｗｎｌｉｎｋ  Ｓｃｈｅｄｕｌｉｎｇ  Ｉｎｆｏｒｍａｔｉｏｎ、及び、物理上りリンク共有チャネルを用いて通信を行うユーザのＩＤや、そのユーザデータのトランスポートフォーマットの情報、すなわち、Ｕｐｌｉｎｋ  Ｓｃｈｅｄｕｌｉｎｇ  Ｇｒａｎｔは、下りリンクの制御チャネルである物理下りリンク制御チャネルにマッピングされる。【００５３】
また、レイヤー１処理部２０８１は、上りリンクで送信される上りリンク制御チャネルにマッピングされるＣＱＩや送達確認情報の復調及び復号も行う。レイヤー１処理部２０８１は、当該サブフレームにおいて、上りリンクにおいてユーザデータを受信しない移動局に関する送達確認情報またはＣＱＩを受信する場合に、システム帯域の両端に位置する物理上りリンク制御チャネル（ＰＵＣＣＨ）にマッピングされた送達確認情報またはＣＱＩの受信処理を行う。そして、上記送達確認情報またはＣＱＩの受信結果をＭＡＣ処理部２０８２に通知する。上記送達確認情報は、ＡＣＫ、ＮＡＣＫまたはＤＴＸのいずれかであり、上記ＤＴＸは、移動局１００ｎは実際には送達確認情報を送信しなかった、ということを意味する。ＤＴＸの判定方法、すなわち、実際に移動局が送達確認情報を送信したか否かの判定方法は後述する。上記ＣＱＩは、後述するＣＱＩの信頼度判定を行った後のＣＱＩを通知する。すなわち、信頼度の高いＣＱＩのみがＭＡＣ処理部２０８２に通知され、信頼度の低いＣＱＩはＭＡＣ処理部２０８２に通知されない。【００５４】
図５または図６を参照して説明したように、移動局は、上りリンクの共有チャネルを用いて通信を行うユーザのＩＤやそのユーザデータのトランスポートフォーマットの情報がマッピングされた物理下りリンク制御チャネルを正常に受信できなかった場合、または、上りリンクの共有チャネルの送達確認情報として送信されたＮＡＣＫを誤ってＡＣＫと判定した場合には、移動局は、所定のタイミングにおいて、前記上りリンクの共有チャネルを送信しない。本実施例においては、基地局装置は、上りリンクで送信される共有チャネルのＦＦＴ処理やIDFT処理、チャネル復号化等の受信処理において、実際に、移動局が上りリンクの共有チャネルを送信したか否かの判定を行う。【００５５】
レイヤー１処理部２０８１は、移動局１００ｎが上りリンクの共有チャネルを送信する予定のサブフレームにおいて、移動局１００ｎが実際に上りリンクの共有チャネルを送信したか否かを判定する。例えば、レイヤー１処理部２０８１は、送信される予定の物理上りリンク共有チャネルＰＵＳＣＨにおけるデータ復調用のリファレンス信号のＳＩＲを測定し、上記ＳＩＲが所定の閾値より大きい場合に、移動局１００ｎが実際に上りリンクの共有チャネルを送信したと判定し、上記ＳＩＲが所定の閾値以下の場合に、移動局１００ｎは実際には上りリンクの共有チャネルを送信しなかったと判定してもよい。一般的には、受信信号品質と閾値との比較結果に応じて、物理上りリンク共有チャネルＰＵＳＣＨが送信されたか否かの判定がなされてもよい。そして、レイヤー１処理部２０８１は、上述した物理上りリンク共有チャネルＰＵＳＣＨに関する電力判定の判定結果をＭＡＣ処理部２０８２に通知する。【００５６】
尚、上記受信信号品質とは、例えば、上述したSIRや受信レベルなど、受信信号の品質を示す指標であれば、いずれの値を用いてよい。【００５７】
また、レイヤー１処理部２０８１は、上述した物理上りリンク共有チャネルＰＵＳＣＨに関する電力判定において、「移動局１００ｎは実際には上りリンクの共有チャネルを送信しなかった」と判定した場合に、上記上りリンクの共有チャネルに対する送達確認情報として、肯定応答であるＡＣＫを移動局１００ｎに送信してもよい。上記ＡＣＫを移動局１００ｎに送信することの効果を以下に説明する。上記ＵＬ−ＳＣＨ  Ｐｏｗｅｒ判定の判定誤りが発生した場合、すなわち、実際には移動局１００ｎはＰＵＳＣＨ（ＵＬ−ＳＣＨ）を送信したにも拘らず、基地局装置２００が「送信されなかった」と判定した場合に、移動局１００ｎは再送を継続し、一方で、基地局装置２００は、移動局１００ｎが再送を行うリソースブロックを、他の移動局（例えば、移動局１００ｍ（ｍ≠ｎ））の新規送信に割り当てる場合がある。この場合、移動局１００ｎの再送と、移動局１００ｍの新規送信が衝突するため、移動局１００ｎの再送及び移動局１００ｍの新規送信の両方の特性が著しく劣化する可能性がある。上述したように、「移動局１００ｎは実際には上りリンクの共有チャネルを送信しなかった」と判定したＰＵＳＣＨ（ＵＬ−ＳＣＨ）に対する送達確認情報として、肯定応答であるＡＣＫを送信した場合、移動局１００ｎは、実際にＰＵＳＣＨ（ＵＬ−ＳＣＨ）を送信していたとしても、再送を停止することになるため、上述したような衝突は生じないことになる。【００５８】
ここで、上述した例においては、レイヤー１処理部２０８１は、送信される予定の物理上りリンク共有チャネルＰＵＳＣＨにおけるデータ復調用のリファレンス信号のＳＩＲに基づいて電力判定を行ったが、代わりに、送信される予定の物理上りリンク共有チャネルＰＵＳＣＨにおけるデータ復調用のリファレンス信号のＳＩＲに加えて、送信される予定の物理上りリンク共有チャネルＰＵＳＣＨにおけるデータ信号のＳＩＲに基づいて電力判定を行ってもよい。リファレンス信号のＳＩＲとデータ信号のＳＩＲとの両方を用いることにより、電力判定の精度を向上させることができる。【００５９】
あるいは、上記電力判定を、送信される予定の物理上りリンク共有チャネルＰＵＳＣＨにおけるデータ復調用のリファレンス信号のＳＩＲではなく、送信される予定の物理上りリンク共有チャネルＰＵＳＣＨにおけるデータ信号のＳＩＲのみに基づいて行ってもよい。【００６０】
尚、上記閾値は、移動局が送信する電力に基づいて設定されてもよい。ここで、上記移動局が送信する電力は、例えば、物理下りリンク制御チャネルに含まれる、Ｕｐｌｉｎｋ  Ｓｃｈｅｄｕｌｉｎｇ  Ｇｒａｎｔの中の１つの情報として移動局に通知される。あるいは、上記移動局が送信する電力は、例えば、物理下りリンク制御チャネルに含まれる、Ｕｐｌｉｎｋ  Ｓｃｈｅｄｕｌｉｎｇ  Ｇｒａｎｔの中の１つの情報であるペイロードサイズ（データサイズ）と関連付けることにより、移動局に通知される。ここで、移動局が送信する電力とペイロードサイズを関連付けるとは、移動局と基地局装置との間で、各ペイロードサイズに対する送信電力の関係を、予め設定しておくことを意味する。より具体的には、上記移動局が送信する電力が大きい場合には、大きい閾値を設定し、上記移動局が送信する電力が小さい場合には、小さい閾値を設定してもよい。
あるいは、上記閾値は、上りリンクの共有チャネルとサウンディングリファレンス信号の電力差に基づいて設定されてもよい。より具体的には、上記上りリンクの共有チャネルとサウンディングリファレンス信号の電力差が大きい場合には、大きい閾値を設定し、上記上りリンクの共有チャネルとサウンディングリファレンス信号の電力差が小さい場合には、小さい閾値を設定してもよい。
あるいは、上記閾値は、例えば、上りリンクの共有チャネルの変調方式に基づいて設定されてもよい。より具体的には、上記変調方式が16QAMである場合には、大きい閾値を設定し、上記変調方式がQPSKである場合には、小さい閾値を設定してもよい。
あるいは、上記閾値は、例えば、上りリンクの共有チャネルのModulation and Scheme (MCS)レベルに基づいて設定されてもよい。より具体的には、上記MCSレベルが大きい場合には、大きい閾値を設定し、上記MCSレベルが小さい場合には、小さい閾値を設定してもよい。尚、MCSレベルには、変調方式やデータサイズ、送信電力、所要SIR、周波数リソース量等の少なくとも１つに基づいて定義されてもよい。【００６１】
あるいは、上記閾値は、送信される予定の物理上りリンク共有チャネルＰＵＳＣＨの周波数リソース量、すなわち、送信帯域幅、または、リソースブロック数に基づいて設定されてもよい。より具体的には、上記周波数リソース量が大きい場合には、大きい閾値を設定し、上記周波数リソース量が小さい場合には、小さい閾値を設定してもよい。ここで、上記送信される予定の物理上りリンク共有チャネルＰＵＳＣＨの周波数リソース、すなわち、リソースブロックに関する情報は、例えば、物理下りリンク制御チャネルに含まれる、Ｕｐｌｉｎｋ  Ｓｃｈｅｄｕｌｉｎｇ  Ｇｒａｎｔの中の１つの情報である周波数リソース割当情報またはリソースブロック割当情報として移動局に通知される。周波数リソースの量が大きい場合、より精度良く電力判定を行うことができるが、一方で、電力判定が誤った場合のインパクトが大きいため、より厳密に電力判定を行う必要がある。逆に、周波数リソースの量が小さい場合、精度良く電力判定を行うことができないが、一方で、電力判定が誤った場合のインパクトは小さいため、周波数リソースが大きい場合と比べて、厳密に電力判定を行う必要がない。このような要求条件を満たすために、ＰＵＳＣＨの周波数リソースの量、すなわち、送信帯域幅またはリソースブロックの数に基づいて電力判定の閾値を設定することは有効である。【００６２】
図８Ｂにおいて、レイヤー１処理部２０８１の構成例を、より詳細に示す。レイヤー１処理部２０８１は、CP除去部２０８１０２と、FFT部２０８１０４と、サブキャリアデマッピング部２０８１０６と、デマルチプレクサ（DEMUX）部２０８１０８と、チャネル推定部２０８１０９と、周波数等化部２０８１１０Aと、周波数等化部２０８１１０Bと、周波数等化部２０８１１０Cと、IDFT部２０８１１２Aと、IDFT部２０８１１２Bと、IDFT部２０８１１２Cと、PUSCH (UL-SCH)復号部２０８１１４Aと、PUCCH (ACK/NACK)復号部２０８１１４Bと、PUCCH(CQI)復号部２０８１１４Cと、信号電力部推定部２０８１１６Aと、干渉電力部推定部２０８１１８Aと、SIR算出部２０８１２０Aと、PUSCH電力判定部２０８１２２Aと、閾値設定部２０８１２４Aとを備える。【００６３】
CP除去部２０８１０２は、送受信部２０６より入力された上りリンクのベースバンド信号から、付加されているCP部分を所定のタイミングで除去し、除去後の信号をFFT部２０８１０４に出力する。【００６４】
FFT部２０８１０４は、高速フーリエ変換により、システム帯域幅全体を時間領域の信号から周波数領域の信号に変換して、変換後の信号をサブキャリアデマッピング部２０８１０６に出力する。【００６５】
サブキャリアデマッピング部２０８１０６は、マッピングされているサブキャリアを多重化信号に戻し、デマルチプレクサ２０８１０８は多重化信号を各々所定のブロックに分配する。すなわち、上りリンクの共有チャネルの信号は、周波数等化部２０８１１０Aに出力され、上りリンクの制御チャネルPUCCHにマッピングされた送達確認情報は、周波数等化部２０８１１０Bに出力され、上りリンクの制御チャネルPUCCHにマッピングされたCQIは、周波数等化部２０８１１０Cに出力される。また、上記上りリンクの共有チャネルや上りリンクの制御チャネルPUCCH内のDemodulation Reference Signalは、チャネル推定部２０８１０９に出力される。【００６６】
周波数等化部２０８１１０Aは、チャネル推定部２０８１０９からのチャネル推定値を用いて、チャネル補償による受信処理（伝送により発生した位相の回転等を元の送信状態に戻す）を行う。処理後の上りリンクの共有チャネルの信号は、IDFT部２０８１１２Aと、PUSCH(UL-SCH)復号部２０８１１４Aにより復号処理される。【００６７】
また、IDFT部２０８１１２Aにおいて、IDFT処理が行われた信号は、信号電力推定部２０８１１６A及び干渉電力推定部２０８１１８Aに出力される。【００６８】
周波数等化部２０８１１０Bは、チャネル推定部２０８１０９からのチャネル推定値を用いて、チャネル補償による受信処理（伝送により発生した位相の回転等を元の送信状態に戻す）を行う。処理後の制御チャネルにマッピングされた送達確認情報の信号は、IDFT部２０８１１２Bと、PUCCH(ACK/NACK)復号部２０８１１４Bにより復号処理される。
周波数等化部２０８１１０Cは、チャネル推定部２０８１０９からのチャネル推定値を用いて、チャネル補償による受信処理（伝送により発生した位相の回転等を元の送信状態に戻す）を行う。処理後の制御チャネルにマッピングされたCQIの信号は、IDFT部２０８１１２Cと、PUCCH(ACK/NACK)復号部２０８１１４Cにより復号処理される。
チャネル推定部２０８１０９は、デマルチプレクサ２０８１０８から出力された上りリンクのリファレンス信号（Demodulation Reference Signal）から、チャネル推定値を求める。チャネル推定値は、周波数等化部２０８１１０A、周波数等化部２０８１１０B、周波数等化部２０８１１０Cに出力される。【００６９】
信号電力推定部２０８１１６Aは、IDFT部２０８１１２Aより出力された、IDFT処理後の上りリンクの共有チャネルの信号電力を算出し、算出後の信号電力をSIR算出部２０８１２０Aに出力する。【００７０】
干渉電力推定部２０８１１６Aは、IDFT部２０８１１２Aより出力された、IDFT処理後の上りリンクの共有チャネルが送信されている周波数帯域の干渉電力を算出し、算出後の干渉電力をSIR算出部２０８１２０Aに出力する。【００７１】
SIR算出部２０８１２０Aは、信号電力推定部２０８１１６Aより入力された信号電力及び干渉電力推定部２０８１１８Aより入力された干渉電力に基づき、SIRを算出し、算出後のSIRをPUSCH電力判定部２０８１２２Aに出力する。【００７２】
PUSCH電力判定部２０８１２２Aは、SIR算出部２０８１２０Aより入力されたSIRと、閾値設定部２０８１２４Aより入力された閾値との比較結果により、実際に移動局が上りリンクの共有チャネルPUSCHを送信したか否かの判定を行う。すなわち、PUSCH電力判定部２０８１２２Aは、上述の、レイヤー1処理部２０８１に関する説明における移動局１００ｎが実際に上りリンクの共有チャネルを送信したか否かの判定、及び、後述の（１）UL-SCH Power判定方法の処理を行う。PUSCH電力判定部２０８１２２Aは、上記実際に移動局が上りリンクの共有チャネルPUSCHを送信したか否かの判定結果をMAC処理部２０８２に通知する。
また、PUSCH電力判定部２０８１２２Aは、上述した、「移動局１００ｎは実際には上りリンクの共有チャネルを送信しなかった」と判定した場合に、上記上りリンクの共有チャネルに対する送達確認情報として、肯定応答であるＡＣＫを移動局１００ｎに送信すると決定してもよい。この場合、例えば、肯定応答であるＡＣＫを移動局１００ｎに送信するという判断結果は、いったんMAC処理部２０８２に通知され、MAC処理部２０８２が、HARQ処理の一部として、上記肯定応答であるACKの送信処理を行ってもよい。あるいは、上記肯定応答であるＡＣＫを移動局１００ｎに送信するという判断結果は、PUSCH電力判定部２０８１２２Aからレイヤー1処理部２０８１内の送信処理を行う部分に通知され、上記レイヤー1処理部２０８１内の送信処理を行う部分が、上記肯定応答であるACKの送信処理を行ってもよい。
閾値設定部２０８１２４Aは、PUSCH電力判定部２０８１２２Aの判定に用いるための閾値を設定し、上記閾値をPUSCH電力判定部２０８１２２Aに通知する。【００７３】
ここで、閾値設定部２０８１２４Aは、上述したように、上記閾値を、移動局が送信する電力に基づいて設定してもよい。あるいは、閾値設定部２０８１２４Aは、上述したように、上記閾値を、上りリンクの共有チャネルの変調方式に基づいて設定してもよい。あるいは、閾値設定部２０８１２４Aは、上述したように、上記閾値を、上りリンクの共有チャネルのMCSレベルに基づいて設定してもよい。あるいは、閾値設定部２０８１２４Aは、上述したように、上記閾値を、上りリンクの共有チャネルの周波数リソース量に基づいて設定してもよい。あるいは、閾値設定部２０８１２４Aは、上述したように、上記閾値を、上りリンクの共有チャネルとサウンディングリファレンス信号の電力差に基づいて設定してもよい。【００７４】
以上、説明したように、基地局装置２００におけるレイヤー１処理部２０８１は、物理上りリンク共有チャネルＰＵＳＣＨに関する電力判定を行うことにより、移動局が実際に物理上りリンク共有チャネルを送信したか否かの判定を行う。ここで、移動局が実際に物理上りリンク共有チャネルを送信したか否かの判定により、図５、図６に示すように、移動局がＰＤＣＣＨに含まれるＵｐｌｉｎｋ  Ｓｃｈｅｄｕｌｉｎｇ  Ｇｒａｎｔを正常に受信したか否か、または、移動局がＰＤＣＣＨに含まれる、上りリンクの共有チャネルに対する送達確認情報を正常に受信したか否かを判定することができる。【００７５】
また、図７を参照して説明したように、移動局は、下りリンクの共有チャネルを用いて通信を行うユーザのＩＤやそのユーザデータのトランスポートフォーマットの情報、すなわち、Ｄｏｗｎｌｉｎｋ  Ｓｃｈｅｄｕｌｉｎｇ  Ｉｎｆｏｒｍａｔｉｏｎがマッピングされた物理下りリンク制御チャネルを正常に受信できなかった場合には、移動局は、前記下りリンクの共有チャネルを受信しないため、所定のタイミングにおいて、前記送達確認情報を送信しない。本実施例ではレイヤー１処理部２０８１は、実際に移動局が送達確認情報を送信したか否かを判定する。尚、本説明においても、当該サブフレームにおいて、当該移動局からＰＵＳＣＨが送信されず、かつ、送達確認情報が送信される場合に関して、説明を行う。すなわち、ＰＵＳＣＨと周波数多重される制御チャネルである、物理上りリンク制御チャネル（ＰＵＣＣＨ）により上記送達確認情報が送信される場合に関して説明を行う。【００７６】
レイヤー１処理部２０８１は、移動局１００ｎがＰＵＣＣＨにおいて送達確認情報を送信する予定のサブフレームにおいて、移動局１００ｎが実際に送達確認情報を送信したか否かを判定する。例えば、レイヤー１処理部２０８１は、送達確認情報がマッピングされているかもしれないＰＵＣＣＨにおけるデータ復調用のリファレンス信号のＳＩＲを測定し、上記ＳＩＲが所定の閾値より大きい場合に、移動局１００ｎが実際に送達確認情報を送信したと判定し、上記ＳＩＲが所定の閾値以下の場合に、移動局１００ｎは実際には送達確認情報を送信しなかったと判定してもよい。一般的には、受信信号品質と閾値との比較結果に応じて、上り信号に送達確認情報等が含まれているか否かの判定がなされてもよい。尚、上記受信信号品質とは、例えば、上述したSIRや受信レベルなど、受信信号の品質を示す指標であれば、いずれの値を用いてよい。そして、レイヤー１処理部２０８１は、上述した送達確認情報に関する電力判定の判定結果をＭＡＣ処理部２０８２に通知する。尚、上述した、移動局１００ｎが実際に送達確認情報を送信したか否かの判定は、送達確認情報のみが送信される場合であっても、送達確認情報とＣＱＩが多重されて送信される場合であっても、さらに、その他の制御情報、例えば、Ｓｃｈｅｄｕｌｉｎｇ  ＲｅｑｕｅｓｔやＲｅｌｅａｅｓ  Ｒｅｑｕｅｓｔが多重されて送信される場合であっても適用される。その場合に、前記閾値は、それぞれ異なる値を設定することができる。また、送達確認情報とＣＱＩが多重される方法として、送達確認情報とＣＱＩがまとめて符号化されるＪｏｉｎｔ  Ｃｏｉｄｎｇが適用される場合であっても、送達確認情報とＣＱＩが別々に符号化されるＳｅｐａｒａｔｅ  Ｃｏｄｉｎｇが適用される場合であっても、上述した、移動局１００ｎが実際に送達確認情報を送信したか否かの判定は適用される。【００７７】
尚、送達確認情報のみが送信される場合には、例えば、図１３におけるリソースＡの中のどれかのリソースで送信され、送達確認情報とＣＱＩが多重されて送信される場合には、例えば、図１３におけるリソースＢの中のどれかのリソースで送信されてもよい。尚、図１３においては、複数のリソースが多重されているが、その多重方法は、コード多重（CDM）であってもよいし、ブロック拡散による多重であってもよいし、周波数多重であってもよいし、時間多重であってもよいし、それらの多重方法を複合したものであってもよい。また、コード多重には、例えば、Walsh符号によるコード多重や、CAZAC系列によるコード多重等が存在する。【００７８】
例えば、送達確認情報とＣＱＩが多重されて送信される場合の電力判定の閾値は、送達確認情報のみが送信される場合の電力判定の閾値より大きく設定してもよい。以下に、さらに詳細に説明する。送達確認情報とＣＱＩが多重されて送信される場合で、図７（Ｂ）と同様に、基地局装置２００が送信した物理下りリンク制御チャネル（１１１２）を正常に受信できなかった場合には（１１１４）、移動局はＣＱＩのみを送信することになる。この場合、レイヤー1処理部２０８１は、上記ＣＱＩのみが送信される場合の電力と、送達確認情報とＣＱＩが多重されて送信される場合の電力との違いを判定する必要があるため、上記閾値を、送達確認情報のみが送信される場合の電力判定の閾値より大きく設定する。【００７９】
ここで、上述した例においては、レイヤー１処理部２０８１は、送信される予定の物理上りリンク制御チャネルＰＵＣＣＨにおけるデータ復調用のリファレンス信号のＳＩＲに基づいて電力判定を行ったが、代わりに、送信される予定の物理上りリンク制御チャネルＰＵＣＣＨにおけるデータ復調用のリファレンス信号のＳＩＲに加えて、送信される予定の送達確認情報、あるいは、ＣＱＩと多重されている場合には、多重されているＣＱＩと送達確認情報の信号系列のＳＩＲとに基づいて電力判定を行ってもよい。リファレンス信号のＳＩＲと、ＣＱＩと送達確認情報の信号系列のＳＩＲとの両方を用いることにより、電力判定の精度を向上させることができる。【００８０】
あるいは、上記電力判定を、送信される予定の物理上りリンク制御チャネルＰＵＣＣＨにおけるデータ復調用のリファレンス信号のＳＩＲではなく、送信される予定の送達確認情報、あるいは、ＣＱＩと多重されている場合には、多重されているＣＱＩと送達確認情報の信号系列のＳＩＲのみに基づいて行ってもよい。【００８１】
図８Ｃにおいて、レイヤー１処理部２０８１の構成例を、より詳細に示す。レイヤー１処理部２０８１は、CP除去部２０８１０２と、FFT部２０８１０４と、サブキャリアデマッピング部２０８１０６と、デマルチプレクサ（DEMUX）部２０８１０８と、チャネル推定部２０８１０９と、周波数等化部２０８１１０Aと、周波数等化部２０８１１０Bと、周波数等化部２０８１１０Cと、IDFT部２０８１１２Aと、IDFT部２０８１１２Bと、IDFT部２０８１１２Cと、PUSCH (UL-SCH)復号部２０８１１４Aと、PUCCH (ACK/NACK)復号部２０８１１４Bと、PUCCH(CQI)復号部２０８１１４Cと、信号電力部推定部２０８１１６Bと、干渉電力部推定部２０８１１８Bと、SIR算出部２０８１２０Bと、PUCCH電力判定部２０８１２６Bと、閾値設定部２０８１２４Bとを備える。【００８２】
尚、IDFT部２０８１１２Bと、信号電力部推定部２０８１１６Bと、干渉電力部推定部２０８１１８Bと、SIR算出部２０８１２０Bと、PUCCH電力判定部２０８１２６Bと、閾値設定部２０８１２４B以外のブロックに関する説明は、図８Ｂにおける説明と同一であるため、省略する。【００８３】
IDFT部２０８１１２Bは、周波数等化部２０８１１０Bにおいて、チャネル補償による受信処理がなされた信号に対してIDFT処理を行い、そのIDFT処理後の信号を、PUCCH(ACK/NACK)復号部２０８１１４Bに出力する。また、IDFT部２０８１１２Bは、上記IDFT処理後の信号を、信号電力推定部２０８１１６B及び干渉電力推定部２０８１１８Bに出力する。【００８４】
信号電力推定部２０８１１６Bは、IDFT部２０８１１２Bより出力された、IDFT処理後の上りリンクの制御チャネルの信号電力を算出し、算出後の信号電力をSIR算出部２０８１２０Bに出力する。【００８５】
干渉電力推定部２０８１１６Bは、IDFT部２０８１１２Bより出力された、IDFT処理後の上りリンクの制御チャネルが送信されている周波数帯域の干渉電力を算出し、算出後の干渉電力をSIR算出部２０８１２０Bに出力する。【００８６】
SIR算出部２０８１２０Bは、信号電力推定部２０８１１６Bより入力された信号電力及び干渉電力推定部２０８１１８Bより入力された干渉電力に基づき、SIRを算出し、算出後のSIRをPUCCH電力判定部２０８１２６Bに出力する。【００８７】
PUCCH電力判定部２０８１２６Bは、SIR算出部２０８１２０Bより入力されたSIRと、閾値設定部２０８１２４Bより入力された閾値との比較結果により、実際に移動局が上りリンクの制御チャネルPUCCHを用いて送達確認情報を送信したか否かの判定を行う。すなわち、PUCCH電力判定部２０８１２６Bは、上述の、レイヤー1処理部２０８１に関する説明における移動局１００ｎが実際に送達確認情報を送信したか否かの判定、及び、後述の（２）HARQ ACK受信方法の処理を行う。PUCCH電力判定部２０８１２６Bは、上記実際に移動局が送達確認情報を送信したか否かの判定結果をMAC処理部２０８２に通知する。
閾値設定部２０８１２４Bは、PUCCH電力判定部２０８１２６Bの判定に用いるための閾値を設定し、上記閾値をPUCCH電力判定部２０８１２６Bに通知する。
尚、上述した、図８Ｃを用いて説明を行った処理は、上りリンクの制御チャネルPUCCHにより、送達確認情報のみが送信されている場合に適用されてもよいし、送達確認情報と下りリンクの無線品質情報CQIが多重されて送信されている場合に適用されてもよい。【００８８】
以上、説明したように、基地局装置２００におけるレイヤー１処理部２０８１は、物理上りリンク制御チャネルＰＵＣＣＨにおける、下りリンクの共有チャネルに対する送達確認情報に関する電力判定を行うことにより、移動局が実際に送達確認情報を送信したか否かの判定を行う。ここで、移動局が実際に送達確認情報を送信したか否かの判定により、図７に示すように、移動局がＰＤＣＣＨに含まれるＤｏｗｎｌｉｎｋ  Ｓｃｈｅｄｕｌｉｎｇ  Ｉｎｆｏｒｍａｔｉｏｎを正常に受信したか否かを判定することができる。【００８９】
また、レイヤー１処理部２０８１は、当該サブフレームにおいて、上りリンクにおいてユーザデータを受信しない移動局に関するＣＱＩを受信する場合に、システム帯域の両端に位置する物理上りリンク制御チャネル（ＰＵＣＣＨ）にマッピングされたＣＱＩの受信処理を行う。この時、レイヤー１処理部２０８１は、上記ＣＱＩに関する信頼度判定を行ってもよい。すなわち、レイヤー１処理部２０８１は、ＣＱＩがマッピングされているＰＵＣＣＨにおけるＣＱＩの受信ビット系列のＳＩＲを測定し、上記ＳＩＲが所定の閾値より大きい場合に、受信したＣＱＩの信頼度は高いと判定し、上記ＳＩＲが所定の閾値以下の場合に、受信したＣＱＩの信頼度は低いと判定する。一般的には、受信信号品質と閾値との比較結果に応じて、受信したCQIの信頼度の判定がなされてもよい。尚、上記受信信号品質とは、例えば、上述したSIRや受信レベルなど、受信信号の品質を示す指標であれば、いずれの値を用いてよい。ここで、上記ＣＱＩの受信ビット系列のＳＩＲとは、ＣＱＩのビット系列の内、最も相関値の高いビット系列、すなわち、最も尤度の高いビット系列を、ＣＱＩの受信ビット系列のＳＩＲとしてもよい。あるいは、レイヤー１処理部２０８１は、上記ＳＩＲとして、ＣＱＩがマッピングされているＰＵＣＣＨにおけるデータ復調用のリファレンス信号のＳＩＲを測定してもよい。あるいは、レイヤー1処理部２０８１は、上記ＳＩＲとして、ＣＱＩがマッピングされているＰＵＣＣＨにおけるデータ復調用のリファレンス信号のＳＩＲと、ＣＱＩがマッピングされているＰＵＣＣＨにおけるＣＱＩの受信ビット系列のＳＩＲの両方を測定してもよい。ここで、レイヤー1処理部２０８１は、上記ＣＱＩの信頼度判定の結果、信頼度の高いＣＱＩのみをＭＡＣ処理部２０８２に通知し、信頼度の低いCQIをMAC処理部２０８２に通知しないという処理を行ってもよい。この場合、上記信頼度の低いＣＱＩは、スケジューリングやＡＭＣの処理に使用されなくなる。【００９０】
尚、レイヤー１処理部２０８１は、上記信頼度判定を行う際に、実際に移動局がCQIの送信を行ったか否かを判定してもよい。レイヤー1処理部２０８１は、実際に移動局がCQIの送信を行わなかったと判定した場合に、上記移動局の上りリンクは同期が外れていると判定してもよい。【００９１】
図８Ｄにおいて、レイヤー１処理部２０８１の構成例を、より詳細に示す。レイヤー１処理部２０８１は、CP除去部２０８１０２と、FFT部２０８１０４と、サブキャリアデマッピング部２０８１０６と、デマルチプレクサ（DEMUX）部２０８１０８と、チャネル推定部２０８１０９と、周波数等化部２０８１１０Aと、周波数等化部２０８１１０Bと、周波数等化部２０８１１０Cと、IDFT部２０８１１２Aと、IDFT部２０８１１２Bと、IDFT部２０８１１２Cと、PUSCH (UL-SCH)復号部２０８１１４Aと、PUCCH (ACK/NACK)復号部２０８１１４Bと、PUCCH(CQI)復号部２０８１１４Cと、信号電力部推定部２０８１１６Cと、干渉電力部推定部２０８１１８Cと、SIR算出部２０８１２０Cと、PUCCH電力判定部２０８１２６Cと、閾値設定部２０８１２４Cとを備える。【００９２】
尚、IDFT部２０８１１２Cと、信号電力部推定部２０８１１６Cと、干渉電力部推定部２０８１１８Cと、SIR算出部２０８１２０Cと、PUCCH電力判定部２０８１２６Cと、閾値設定部２０８１２４C以外のブロックに関する説明は、図８Ｂにおける説明と同一であるため、省略する。【００９３】
IDFT部２０８１１２Cは、周波数等化部２０８１１０Cにおいて、チャネル補償による受信処理がなされた信号に対してIDFT処理を行い、そのIDFT処理後の信号を、PUCCH(ACK/NACK)復号部２０８１１４Cに出力する。また、IDFT部２０８１１２Cは、上記IDFT処理後の信号を、信号電力推定部２０８１１６C及び干渉電力推定部２０８１１８Cに出力する。【００９４】
信号電力推定部２０８１１６Cは、IDFT部２０８１１２Cより出力された、IDFT処理後の上りリンクの制御チャネルの信号電力を算出し、算出後の信号電力をSIR算出部２０８１２０Cに出力する。【００９５】
干渉電力推定部２０８１１６Cは、IDFT部２０８１１２Cより出力された、IDFT処理後の上りリンクの制御チャネルが送信されている周波数帯域の干渉電力を算出し、算出後の干渉電力をSIR算出部２０８１２０Cに出力する。【００９６】
SIR算出部２０８１２０Cは、信号電力推定部２０８１１６Cより入力された信号電力及び干渉電力推定部２０８１１８Cより入力された干渉電力に基づき、SIRを算出し、算出後のSIRをPUCCH電力判定部２０８１２６Cに出力する。【００９７】
PUCCH電力判定部２０８１２６Cは、SIR算出部２０８１２０Cより入力されたSIRと、閾値設定部２０８１２４Cより入力された閾値との比較結果により、移動局が送信した下りリンクの無線品質情報CQIの信頼度を判定する。すなわち、PUCCH電力判定部２０８１２６Cは、上述の、レイヤー1処理部２０８１に関する説明におけるCQIの信頼度の判定、及び、後述の（３）CQI信頼度判定方法の処理を行う。PUCCH電力判定部２０８１２６Cは、上記CQIの信頼度判定の判定結果をMAC処理部２０８２に通知する。
閾値設定部２０８１２４Cは、PUCCH電力判定部２０８１２６Cの判定に用いるための閾値を設定し、上記閾値をPUCCH電力判定部２０８１２６Cに通知する。【００９８】
MAC処理部２０８２は、レイヤー1処理部２０８１より、上りリンク制御チャネルにマッピングされるＣＱＩや送達確認情報の受信結果を受け取る。【００９９】
ＭＡＣ処理部２０８２は、下りリンクのユーザデータのＭＡＣ再送制御、例えばＨＡＲＱの送信処理や、スケジューリング処理、伝送フォーマットの選択処理、周波数リソースの割り当て処理等を行う。ここで、スケジューリング処理とは、当該サブフレームの下りリンクにおいて共有チャネルを用いてユーザデータの受信を行う移動局を選別する処理のことを指す。また、伝送フォーマットの選択処理とは、スケジューリングにおいて選別された移動局が受信するユーザデータに関する変調方式や符号化率、データサイズを決定する処理のことを指す。上記変調方式、符号化率、データサイズの決定は、例えば、移動局から上りリンクにおいて報告されるＣＱＩの値に基づいて行われる。さらに、上記周波数リソースの割り当て処理とは、スケジューリングにおいて選別された移動局が受信するユーザデータに用いられるリソースブロックを決定する処理のことを指す。上記リソースブロックの決定は、例えば、移動局から上りリンクにおいて報告されるＣＱＩに基づいて行われる。そして、ＭＡＣ処理部２０８２は、上述したスケジューリング処理、伝送フォーマットの選択処理、周波数リソースの割り当て処理により決定される、物理下りリンク共有チャネルを用いて通信を行うユーザのＩＤや、そのユーザデータのトランスポートフォーマットの情報、すなわち、Ｄｏｗｎｌｉｎｋ  Ｓｃｈｅｄｕｌｉｎｇ  Ｉｎｆｏｒｍａｔｉｏｎをレイヤー１処理部２０８１に通知する。【０１００】
また、ＭＡＣ処理部２０８２は、上りリンクのユーザデータのＭＡＣ再送制御の受信処理や、スケジューリング処理、伝送フォーマットの選択処理、周波数リソースの割り当て処理等を行う。ここで、スケジューリング処理とは、所定のサブフレームにおいて共有チャネルを用いてユーザデータの送信を行う移動局を選別する処理のことを指す。また、伝送フォーマットの選択処理とは、スケジューリングにおいて選別された移動局が送信するユーザデータに関する変調方式や符号化率、データサイズを決定する処理のことを指す。上記変調方式、符号化率、データサイズの決定は、例えば、移動局から上りリンクにおいて送信するサウンディング用リファレンス信号のＳＩＲや受信電力、あるいは、パスロスに基づいて行われる。さらに、上記周波数リソースの割り当て処理とは、スケジューリングにおいて選別された移動局が送信するユーザデータの送信に用いられるリソースブロックを決定する処理のことを指す。上記リソースブロックの決定は、例えば、移動局から上りリンクにおいて送信するサウンディング用リファレンス信号のＳＩＲに基づいて行われる。そして、ＭＡＣ処理部２０８２は、上述したスケジューリング処理、伝送フォーマットの選択処理、周波数リソースの割り当て処理により決定される、物理上りリンク共有チャネルを用いて通信を行うユーザのＩＤや、そのユーザデータのトランスポートフォーマットの情報、すなわち、Ｕｐｌｉｎｋ  Ｓｃｈｅｄｕｌｉｎｇ  Ｇｒａｎｔをレイヤー１処理部２０８１に通知する。【０１０１】
ＭＡＣ処理部２０８２は、レイヤー１処理部２０８１から、上りリンクの共有チャネルに関する電力判定の判定結果を受け取る。そして、ＭＡＣ処理部２０８２は、上記電力判定の判定結果が、移動局１００ｎは実際には上りリンクの共有チャネルを送信しなかったという判定結果である場合には、移動局において、過去に送信した対応する物理下りリンク制御チャネルが正常に受信できなかった、または、過去に送信した対応する上りリンクの共有チャネルに対する送達確認情報が正常に受信できなかったと判断し、当該上りリンクの共有チャネルに割り当てる予定の再送用のリソースを解放する。ここで、リソースを解放するとは、当該リソースを、他の移動局のための上りリンクの共有チャネルに割り当てる、あるいは、当該移動局のための、新規に送信される上りリンクの共有チャネルに割り当てることを意味する。また、Ｅｖｏｌｖｅｄ  ＵＴＲＡ  ａｎｄ  ＵＴＲＡＮにおいては、上りリンクにおいては、Ｓｙｎｃｈｒｏｎｏｕｓ  ＨＡＲＱが採用されているため、上りリンクの共有チャネルは、正常に受信されるまで、あるいは、最大再送回数が満了するまで、所定のタイミングで、当該移動局から基地局装置に送信されるが、移動局１００ｎは実際には上りリンクの共有チャネルを送信しなかったという判定結果である場合には、当該上りリンクの共有チャネルに関する、未来の全ての再送予定のサブフレームにおける再送用のリソースを解放する。【０１０２】
ＭＡＣ処理部２０８２は、レイヤー１処理部２０８１から、ＰＵＳＣＨと周波数多重されて送信されるＰＵＣＣＨにマッピングされた送達確認情報に関する電力判定の判定結果を受け取る。そして、ＭＡＣ処理部２０８２は、上記電力判定の判定結果が、移動局１００ｎは実際には送達確認情報を送信しなかったという判定結果である場合には、過去に送信した対応する下り共有チャネルが正常に受信できなかったと判断し、過去に送信した下り共有チャネルにマッピングされていた情報を再送する。例えば、移動局１００ｎは、共有チャネルを正常に受信しなかったのではなく、それに付随する物理下りリンク制御チャネルＰＤＣＣＨ内のＤｏｗｎｌｉｎｋ  Ｓｃｈｅｄｕｌｉｎｇ  Ｉｎｆｏｒｍａｔｉｏｎを正常に受信しなかったとＭＡＣ処理部２０８２が判断し、前回の送信は無効な送信であるとして、下りリンクの共有チャネルにマッピングされていた情報を再送してもよい。すなわち、前回の送信が初回の送信であった場合には、今回の送信も初回の送信として送信処理が行われ、前回の処理が２回目の送信であった場合には、今回の送信も２回目の送信として送信処理が行われてもよい。【０１０３】
尚、ＭＡＣ処理部２０８２は、上述した、送達確認情報に関する電力判定の判定結果に基づいた処理において、送達確認情報とＣＱＩが多重されてマッピングされたＰＵＣＣＨによって送信された送達確認情報に関する電力判定の判定結果が否定応答（ＮＡＣＫ）である場合にも、対応する下りリンクの送信は無効な送信であるとして、下りリンクの共有チャネルにマッピングされていた情報を再送してもよい。すなわち、前回の送信が初回の送信であった場合には、今回の送信も初回の送信として送信処理が行われ、前回の処理が２回目の送信であった場合には、今回の送信も２回目の送信として送信処理が行われてもよい。【０１０４】
以下に、送達確認情報とＣＱＩが多重されてマッピングされたＰＵＣＣＨによって送信された送達確認情報に関する電力判定の判定結果が否定応答（ＮＡＣＫ）である場合に、上述した処理を行う理由を説明する。例えば、送達確認情報とＣＱＩの多重方法として、ＣＱＩが送信されるＰＵＣＣＨのＤｅｍｏｄｕｌａｔｉｏｎ  Ｒｅｆｅｒｅｎｃｅ  Ｓｉｇｎａｌの中に、上記送達確認情報の信号が埋め込まれている場合がある。この場合、移動局が実際に送達確認情報を送信する／しないに関わらず、基地局装置にとっては、常に送達確認情報が送信されているように見える。よって、基地局装置は、移動局が共有チャネルを正常に受信しなかったのか、あるいは、Ｄｏｗｎｌｉｎｋ  Ｓｃｈｅｄｕｌｉｎｇ  Ｉｎｆｏｒｍａｔｉｏｎを正常に受信しなかったのかを識別することができない。よって、移動局がＤｏｗｎｌｉｎｋ  Ｓｃｈｅｄｕｌｉｎｇ  Ｉｎｆｏｒｍａｔｉｏｎを正常に受信しなかったことも考慮して、対応する下りリンクの送信は無効な送信であるとして、下りリンクの共有チャネルにマッピングされていた情報を再送することにより、移動局が初回送信を受信できないという事象の頻度を低減することが可能となる。
尚、ＭＡＣ処理部２０８２は、送達確認情報とＣＱＩが多重されてマッピングされたＰＵＣＣＨによって送信された送達確認情報に関する電力判定の判定結果が否定応答（ＮＡＣＫ）である場合に、常に、対応する下りリンクの送信は無効な送信であるとして、下りリンクの共有チャネルにマッピングされていた情報を再送するのではなく、１回目にＮＡＣＫを受信した場合に、対応する送信は無効な送信であるとして、下りリンクの共有チャネルにマッピングされていた情報を再送し、その次にＮＡＣＫを受信した場合には、対応する下りリンクの送信は有効な送信であるとして、下りリンクの共有チャネルにマッピングされていた情報を再送してもよい。尚、「対応する下りリンクの送信は有効な送信である」とは、移動局において、Ｄｏｗｎｌｉｎｋ  Ｓｃｈｅｄｕｌｉｎｇ  Ｉｎｆｏｒｍａｔｉｏｎが正常に受信され、対応する共有チャネルの信号が、移動局において、受信されたことを指す。尚、NACKを受信した場合に、対応する下りリンクの送信が有効であるか、無効であるかの判定においては、１回目のNACKのみ無効と判断し、２回目以降のNACKは有効と判断する、といった判定の仕方や、奇数回目のNACKは無効と判断し、偶数回目のNACKは無効と判断するといった判定の仕方が考えられる。【０１０５】
また、ＭＡＣ処理部２０８２は、ＣＱＩの信頼度判定により、信頼度の低いＣＱＩが送信されなかった場合には、当該タイミングで報告されるＣＱＩの値として、その前のタイミングのＣＱＩを代用してもよい。【０１０６】
ＲＬＣ処理部２０８３では、下りリンクのパケットデータに関する、分割・結合、ＲＬＣ再送制御の送信処理等のＲＬＣレイヤーの送信処理や、上りリンクのデータに関する、分割・結合、ＲＬＣ再送制御の受信処理等のＲＬＣレイヤーの受信処理が行われる。また、RLC処理部２０８３は、さらに、PDCPレイヤの処理を行ってもよい。【０１０７】
<上りリンク受信方法の手順>
次に、基地局装置における上りリンク受信方法について説明する。具体的には、以下の３つの上りリンク受信方法を規定する。
・UL-SCH Power判定方法（上りリンク共有チャネル電力判定方法）
・HARQ ACK受信方法（送達確認情報受信方法）
・CQI信頼度判定方法
（１）UL-SCH Power判定方法
図９を参照しながら、本発明の実施例に係る送信判定方法（UL-SCH Power判定方法）の手順について説明する。【０１０８】
UL-SCH Power判定は、物理下りリンク制御チャネルＰＤＣＣＨにより当該移動局にUL Scheduling grant（ＰＵＳＣＨを用いて通信を行うユーザのＩＤとトランスポートフォーマット情報）を通知した後、実際に当該移動局がＰＵＳＣＨ（UL-SCH）の送信を行うか否かのPower判定を行う。初回送信時には、物理下りリンク制御チャネルＰＤＣＣＨにおけるＵＬ  Ｓｃｈｅｄｕｌｉｎｇ  Ｇｒａｎｔの検出誤りによる当該移動局のＰＵＳＣＨ（UL-ＳＣＨ）の未送信を検出し、再送時には、物理下りリンク制御チャネルＰＤＣＣＨにおける、ＵＬ−ＳＣＨに対する送達確認情報のNACKをACKとして誤った場合の移動局UEのＰＵＳＣＨ（UL-SCH）の未送信を検出する。【０１０９】
当該移動局が送信するDM RS（復調用のリファレンス信号）から算出される、当該サブフレームの復調用のリファレンス信号の受信電力DRSPdataと、干渉波レベルInterferencedataにより、SIRdataを算出する。【０１１０】
SIRdata＝DRSPdata／Interferencedata
ここで、添え字の「data」は、当該移動局がＰＵＳＣＨ（UL-SCH）を送信する周波数帯域に関して算出することを意味する。【０１１１】
以下に、干渉波レベルInterferencedataの計算方法を更に詳細に説明する。【０１１２】
上記干渉波レベルは、当該サブフレームにおける瞬時の干渉波レベルでもよいし、あるいは、より長い時間間隔、例えば、２００ｍｓや１００ｍｓといった時間間隔で平均化した干渉波レベルでもよい。【０１１３】
尚、干渉波レベルの計算は、例えば、全移動局から送信される復調用のリファレンス信号の分散を平均することにより算出してもよいし、当該移動局から送信される復調用のリファレンス信号の分散により算出してもよい。あるいは、全移動局から送信されるサウンディング用のリファレンス信号の分散を平均することにより算出してもよいし、当該移動局から送信されるサウンディング用のリファレンス信号の分散により算出してもよい。【０１１４】
あるいは、干渉波レベルは、熱雑音も含めた上りリンクの全受信電力から、復調用のリファレンス信号の受信電力を引いた値として計算されてもよい。この場合も、当該移動局のみの信号から算出されてもよいし、全移動局からの信号に関して平均することにより算出してもよい。【０１１５】
上記干渉波レベルを計算する周波数帯域は、厳密に、物理上りリンク共有チャネルＰＵＳＣＨが送信される周波数帯域としてもよいし、物理上りリンク共有チャネルＰＵＳＣＨが送信される周波数帯域の近傍の周波数帯域としてもよい。また、ホッピング適用時の干渉波レベルは、ホッピングされる２つの周波数帯域で算出された干渉波レベルの真値平均値とする。【０１１６】
そして、DTX閾値Thdataと、以下の判定により、電力判定を行う。【０１１７】
if（SIRdata<（Thdata＋Δdata））  （図９のＳ１０２）
"ＰＵＳＣＨ（ＵＬ−ＳＣＨ）は送信されなかった"  （図９のS１０６）
else
"ＰＵＳＣＨ（ＵＬ−ＳＣＨ）は送信された"  （図９のＳ１０４）
ただし、Δdataは、移動局が送信する電力に関する値であり、例えば、サウンディング用のリファレンス信号と物理上りリンク共有チャネルＰＵＳＣＨと間の電力差（電力オフセット）である。上記Δdataにより、移動局が送信する電力に基づいて、電力判定を行うことができる。【０１１８】
尚、上記ＤＴＸ閾値Thdataは、送信される予定の物理上りリンク共有チャネルＰＵＳＣＨの周波数リソース量、すなわち、送信帯域幅、または、リソースブロック数に基づいて設定されてもよい。ここで、上記送信される予定の物理上りリンク共有チャネルＰＵＳＣＨの周波数リソース、すなわち、リソースブロックに関する情報は、例えば、物理下りリンク制御チャネルに含まれる、Ｕｐｌｉｎｋ  Ｓｃｈｅｄｕｌｉｎｇ  Ｇｒａｎｔの中の１つの情報である周波数リソース割当情報またはリソースブロック割当情報として移動局に通知される。周波数リソースの量が大きい場合、より精度良く電力判定を行うことができるが、一方で、電力判定が誤った場合のインパクトが大きいため、より厳密に電力判定を行う必要がある。逆に、周波数リソースの量が小さい場合、精度良く電力判定を行うことができないが、一方で、電力判定が誤った場合のインパクトは小さいため、周波数リソースが大きい場合と比べて、厳密に電力判定を行う必要がない。このような要求条件を満たすために、ＰＵＳＣＨの周波数リソースの量、すなわち、送信帯域幅またはリソースブロックの数に基づいて上記ＤＴＸ閾値Thdataを設定することは有効である。【０１１９】
UL-SCH Power判定により「ＰＵＳＣＨ（ＵＬ−ＳＣＨ）は送信されなかった」と判定された場合には、当該移動局のＰＵＳＣＨ（ＵＬ−ＳＣＨ）未送信を検出したプロセスを解放する（図９のＳ１０８）。ここで、プロセスを解放するとは、移動局が、当該プロセスを用いてＰＵＳＣＨ（ＵＬ−ＳＣＨ）を送信しないと判断することに相当する。すなわち、当該移動局は送信すべき再送データを有さないと判断する。【０１２０】
また、同時に、当該上りリンクの共有チャネルに割り当てる予定の再送用のリソースを解放する。ここで、リソースを解放するとは、当該リソースを、他の移動局のための上りリンクの共有チャネルに割り当てる、あるいは、当該移動局のための、新規に送信される上りリンクの共有チャネルに割り当てることを意味する。また、Ｅｖｏｌｖｅｄ  ＵＴＲＡ  ａｎｄ  ＵＴＲＡＮにおいては、上りリンクにおいては、Ｓｙｎｃｈｒｏｎｏｕｓ  ＨＡＲＱが採用されているため、上りリンクの共有チャネルは、正常に受信されるまで、あるいは、最大再送回数が満了するまで、所定のタイミングで、当該移動局から基地局装置に送信されるが、移動局１００ｎは実際には上りリンクの共有チャネルを送信しなかったという判定結果である場合には、当該上りリンクの共有チャネルに関する、未来の全ての再送予定のサブフレームにおける再送用のリソースを解放する。【０１２１】
さらに、基地局装置は、同時に（図９のＳ１０８において）、ＵＬ−ＳＣＨ  Ｐｏｗｅｒ判定により「送信されなかった」と判定されたＰＵＳＣＨ（ＵＬ−ＳＣＨ）に対する送達確認情報として、肯定応答であるＡＣＫを当該移動局に送信してもよい。上記ＡＣＫを当該移動局に送信することの効果を以下に説明する。上記ＵＬ−ＳＣＨ  Ｐｏｗｅｒ判定の判定誤りが発生した場合、すなわち、実際には移動局はＰＵＳＣＨ（ＵＬ−ＳＣＨ）を送信したにも拘らず、基地局装置が「送信されなかった」と判定した場合に、当該移動局は再送を継続し、一方で、基地局装置は、当該移動局が再送を行うリソースブロックを、他の移動局の新規送信に割り当てる場合がある。この場合、当該移動局の再送と、上記他の移動局の新規送信が衝突するため、上記当該移動局の再送及び上記他の移動局の新規送信の両方の特性が著しく劣化する可能性がある。上述したように、「送信されなかった」と判定されたＰＵＳＣＨ（ＵＬ−ＳＣＨ）に対する送達確認情報として、肯定応答であるＡＣＫを送信した場合、当該移動局は、実際にＰＵＳＣＨ（ＵＬ−ＳＣＨ）を送信していたとしても、再送を停止することになるため、上述したような衝突は生じないことになる。【０１２２】
（２）HARQ ACK受信方法
図１０を参照しながら、本発明の実施例に係る送達確認情報判定方法（HARQ ACK受信方法）の手順について説明する。【０１２３】
HARQ-ACK for DL-SCH（下りリンク共有チャネルの送達確認情報）は、図２に示すＰＵＳＣＨと周波数多重される物理上りリンク制御チャネルＰＵＣＣＨにマッピングされる。以下に示す方法により、HARQ-ACK for DL-SCH（下りリンク共有チャネルの送達確認情報）の3値判定を行う。【０１２４】
（２−１）ＡＣＫのみが送信される場合
当該移動局が送信するDM RS（復調用のリファレンス信号）から算出される、当該サブフレームの復調用のリファレンス信号の受信電力DRSPACKと、干渉波レベルInterferenceACKにより、 SIRACKを算出する．
SIRACK1＝DRSPACK／InterferenceACK
ここで、添え字の「ACK1」は、当該移動局が下りリンク共有チャネルの送達確認情報を送信する信号に関して、ＳＩＲ、復調用のリファレンス信号の受信電力、干渉波レベルを算出することを意味する。【０１２５】
以下に、干渉波レベルInterferenceACKの計算方法を更に詳細に説明する。【０１２６】
上記干渉波レベルは、当該サブフレームにおける瞬時の干渉波レベルでもよいし、あるいは、より長い時間間隔、例えば、２００ｍｓや１００ｍｓといった時間間隔で平均化した干渉波レベルでもよい。【０１２７】
尚、干渉波レベルの計算は、例えば、全移動局から送信される復調用のリファレンス信号の分散を平均することにより算出してもよいし、当該移動局から送信される復調用のリファレンス信号の分散により算出してもよい。【０１２８】
あるいは、干渉波レベルは、熱雑音も含めた上りリンクの全受信電力から、復調用のリファレンス信号の受信電力を引いた値として計算されてもよい。この場合も、当該移動局のみの信号から算出されてもよいし、全移動局からの信号に関して平均することにより算出されてもよい。【０１２９】
上記干渉波レベルを計算する周波数帯域は、厳密に、物理上りリンク制御チャネルＰＵＣＣＨが送信される周波数帯域としてもよいし、物理上りリンク制御チャネルＰＵＣＣＨが送信される周波数帯域の近傍の周波数帯域としてもよい。また、ホッピング適用時の干渉波レベルは、ホッピングされる２つの周波数帯域で算出された干渉波レベルの真値平均値とする。【０１３０】
そして、DTX閾値ThDTX_ACK1と、以下の判定により、ACK/NACK/DTX判定（３値判定）を行う。【０１３１】
if（SIRACK1<ThDTX_ACK1）  （図１０のＳ２０２）
"DTX"（送達確認情報は送信された）  （図１０のＳ２０６）
else
"ACK"or"NACK"（送達確認情報（ＡＣＫまたはＮＡＣＫ）は送信された）  （図１０のＳ２０４）
（ACK/NACKの判定は、HARQ-ACK for DL（下りリンク共有チャネルの送達確認情報）の信号系列の符号で判定する）
"DTX"であると判定された場合には、基地局装置は、下りリンクの共有チャネルを再送する（図１０のＳ２０８）。ここで、例えば、基地局装置は、移動局１００ｎは共有チャネルを正常に受信しなかったのではなく、それに付随する物理下りリンク制御チャネルＰＤＣＣＨ内のＤｏｗｎｌｉｎｋ  Ｓｃｈｅｄｕｌｉｎｇ  Ｉｎｆｏｒｍａｔｉｏｎを正常に受信しなかったと判断し、前回の送信は無効な送信であるとして、下りリンクの共有チャネルにマッピングされていた情報を再送してもよい。すなわち、前回の送信が初回の送信であった場合には、今回の送信も初回の送信として送信処理が行われ、前回の処理が２回目の送信であった場合には、今回の送信も２回目の送信として送信処理が行われてもよい。【０１３２】
（２−２）ＡＣＫとＣＱＩやＳｃｈｅｄｕｌｉｎｇ  Ｒｅｑｕｅｓｔ、Ｒｅｌｅａｓｅ  Ｒｅｑｕｅｓｔが多重される場合
当該移動局が送信するDM RS（復調用のリファレンス信号）から算出される、当該サブフレームの復調用のリファレンス信号の受信電力DRSPACK+CQIと、干渉波レベルInterferenceCQIにより、SIRACK+CQIを算出する。【０１３３】
SIRACK+CQI＝DRSPACK+CQI／InterferenceCQI
ここで、添え字の「ACK＋CQI」や「CQI」は、当該移動局が送信する、送達確認情報とＣＱＩが多重された信号に関して、ＳＩＲ、復調用のリファレンス信号の受信電力、干渉波レベルを算出することを意味する。【０１３４】
以下に、干渉波レベルInterferenceCQIの計算方法を更に詳細に説明する。【０１３５】
上記干渉波レベルは、当該サブフレームにおける瞬時の干渉波レベルでもよいし、あるいは、より長い時間間隔、例えば、２００ｍｓや１００ｍｓといった時間間隔で平均化した干渉波レベルでもよい。【０１３６】
尚、干渉波レベルの計算は、例えば、全移動局から送信される復調用のリファレンス信号の分散を平均することにより算出してもよいし、当該移動局から送信される復調用のリファレンス信号の分散により算出してもよい。【０１３７】
あるいは、干渉波レベルは、熱雑音も含めた上りリンクの全受信電力から、復調用のリファレンス信号の受信電力を引いた値として計算されてもよい。この場合も、当該移動局のみの信号から算出されてもよいし、全移動局からの信号に関して平均することにより算出されてもよい。【０１３８】
上記干渉波レベルを計算する周波数帯域は、厳密に、物理上りリンク制御チャネルＰＵＣＣＨが送信される周波数帯域としてもよいし、物理上りリンク制御チャネルＰＵＣＣＨが送信される周波数帯域の近傍の周波数帯域としてもよい。また、ホッピング適用時の干渉波レベルは、ホッピングされる２つの周波数帯域で算出された干渉波レベルの真値平均値とする。【０１３９】
そして、DTX閾値ThDTX_ACK+CQIと、以下の判定により、ACK/NACK/DTX判定（3値判定）を行う。【０１４０】
if（SIRACK+CQI<ThDTX_ACK+CQI）  （図１０のＳ２０２）
"DTX"（送達確認情報は送信された）  （図１０のＳ２０６）
else
"ACK"or"NACK" （送達確認情報（ＡＣＫまたはＮＡＣＫ）は送信された）  （図１０のＳ２０４）
（ACK/NACKの判定は、HARQ-ACK for DL-SCH（下りリンク共有チャネルの送達確認情報）の信号系列の符号で判定する）
尚、HARQ-ACK for DL-SCH（下りリンク共有チャネルの送達確認情報）は、上述したCQIと多重して送信される場合に加えて、CQIとScheduling requestと多重して送信される場合とCQIとRelease requestと多重して送信される場合が存在し、それぞれの場合に対してDTX閾値ThDTX_ACK+CQI+SR、ThDTX_ACK+CQI+RRを用いて判定を行うこととする。【０１４１】
"DTX"であると判定された場合には、基地局装置は、下りリンクの共有チャネルを再送する（図１０のＳ２０８）。ここで、例えば、基地局装置は、移動局１００ｎは共有チャネルを正常に受信しなかったのではなく、それに付随する物理下りリンク制御チャネルＰＤＣＣＨ内のＤｏｗｎｌｉｎｋ  Ｓｃｈｅｄｕｌｉｎｇ  Ｉｎｆｏｒｍａｔｉｏｎを正常に受信しなかったと判断し、前回の送信は無効な送信であるとして、下りリンクの共有チャネルにマッピングされていた情報を再送してもよい。すなわち、前回の送信が初回の送信であった場合には、今回の送信も初回の送信として送信処理が行われ、前回の処理が２回目の送信であった場合には、今回の送信も２回目の送信として送信処理が行われてもよい。【０１４２】
尚、上述したＡＣＫとＣＱＩが多重される場合のＨＡＲＱ  ＡＣＫ受信方法は、ＡＣＫとＣＱＩがまとめて符号化される場合（Ｊｏｉｎｔ  Ｃｏｄｉｎｇが適用される場合）に適用されてもよいし、ＡＣＫとＣＱＩが別々に符号化される場合（Ｓｅｐａｒａｔｅ  Ｃｏｄｉｎｇが適用される場合）に適用されてもよい。【０１４３】
あるいは、基地局装置は、ＡＣＫとＣＱＩが多重される場合には、上述したようなACK/NACK/DTX判定（3値判定）を行わないという動作を行ってもよい。例えば、送達確認情報とＣＱＩの多重方法として、ＣＱＩが送信されるＰＵＣＣＨのＤｅｍｏｄｕｌａｔｉｏｎ  Ｒｅｆｅｒｅｎｃｅ  Ｓｉｇｎａｌの中に、上記送達確認情報の信号が埋め込まれている場合がある。この場合、移動局が実際に送達確認情報を送信する／しないに関わらず、基地局装置にとっては、常に送達確認情報が送信されているように見える。よって、基地局装置は、ＡＣＫとＣＱＩが多重される場合には、上述したようなACK/NACK/DTX判定（3値判定）を行わないという動作となる。【０１４４】
（３）CQI信頼度判定方法
CQI信頼度判定方法は以下に示す３ステップの方法により行う。【０１４５】
ＣＱＩ信頼度判定は、ＣＱＩが、図２に示すＰＵＳＣＨと周波数多重される物理上りリンク制御チャネルＰＵＣＣＨにマッピングされる場合に行われる。【０１４６】
ステップ１：
CQIの受信ビット系列z[n]を取得する（n:Bit index。1サブフレームに送信されるCQIのビット数をN bitsとする。N bitsの値は、CQIに多重される他の情報要素（ACK（送達確認情報）、Scheduling request、Release request）の有無に依存する）（図１１のＳ３０２）。【０１４７】
ステップ２：
以下の式を用いて32通りの相関値を取得する（1サブフレームに送信されるCQIの情報ビット数を5 bitsとする）（図１１のＳ３０４）。【０１４８】
尚、CQIの情報ビット数は、５bits以外の値であってもよい。例えば、CQIの情報ビット数は、４bitsであってもよい。【０１４９】
【数１】
2008105421.tif 000003
S[n]:CQI code word bits
i：CQI index
ステップ３：
最大のzcorr(i)（以下、MAX[zcorr(i)]とする）に関するSIRCQIと以下の式により、Power判定を行う（図１１のＳ３０６）。【０１５０】
if（SIRCQI<ThCQI）
"No_Code_Word_Detected" （図１１のＳ３０８）
else
"Code_Word_Detected" （図１１のＳ３１２）
但し、SIRCQI=={MAX[zcoor(i)]}2／InterferenceCQIとする。ここで、InterferenceCQIは、上述した「（２−２）ＡＣＫとＣＱＩやＳｃｈｅｄｕｌｉｎｇ  Ｒｅｑｕｅｓｔ、Ｒｅｌｅａｓｅ  Ｒｅｑｕｅｓｔが多重される場合」におけるInterferenceCQIと同様である。【０１５１】
そして、Ｎｏ＿Ｃｏｄｅ＿Ｗｏｒｄ＿Ｄｅｔｅｃｔｅｄと判定された場合には、上記ＣＱＩの信頼度が非常に低いと判断し、上記信頼度の低いＣＱＩを、スケジューリングの処理やＡＭＣの処理に用いない（図１１のＳ３１０）。また、Ｃｏｄｅ＿Ｗｏｒｄ＿Ｄｅｔｅｃｔｅｄと判定された場合には、上記ＣＱＩの信頼度が高いと判断し、上記信頼度の高いＣＱＩを、スケジューリングの処理やＡＭＣの処理に用いる（図１１のＳ３１４）。【０１５２】
尚、上述した例においては、ＣＱＩがマッピングされているＰＵＣＣＨにおけるＣＱＩの受信ビット系列のＳＩＲを用いたが、代わりに、ＣＱＩがマッピングされているＰＵＣＣＨにおけるデータ復調用のリファレンス信号のＳＩＲを用いてもよい。【０１５３】
<下りリンクの共有チャネルに対する送達確認情報受信方法の手順>
図１２及び図１３を参照して、基地局装置における下りリンクの共有チャネルに対する送達確認情報の受信方法について説明する。上記下りリンクの共有チャネルに対する送達確認情報は、上りリンクにおいて送信される。【０１５４】
尚、以下の説明では、下りリンクの共有チャネルに対する送達確認情報及びＣＱＩがシステム帯域の両端に位置するＰＵＣＣＨにマッピングされる場合のリソースは、図１３に示すように、「下りリンクの共有チャネルに対する送達確認情報のみがマッピングされるリソース（以下、リソースＡと呼ぶ）」と「ＣＱＩ、または、ＣＱＩと下りリンクの共有チャネルに対する送達確認情報が多重されるリソース（以下、リソースＢと呼ぶ）」の２種類に分けられていることとする。すなわち、移動局は、当該サブフレームにおいて、上りリンクの共有チャネルを送信しない場合に、下りリンクの共有チャネルに対する送達確認情報のみを送信する場合はリソースＡを用いて送信を行い、ＣＱＩを送信する場合、または、ＣＱＩと下りリンクの共有チャネルに対する送達確認情報を多重して送信する場合には、リソースＢを用いて送信を行う。尚、ＣＱＩを送信する際に、ＡＣＫに加えて、Ｓｃｈｅｄｕｌｉｎｇ  ＲｅｑｕｅｓｔやＲｅｌｅａｓｅ  Ｒｅｑｕｅｓｔを多重して送信する場合には、リソースＢが用いられる。【０１５５】
ここで、リソースの割り当ての例として、図１３では、リソースＡにおけるリソース番号＃２のリソースを、当該サブフレームが、当該移動局が送達確認情報を送信するサブフレームであると仮定した場合の、当該移動局に対して割り当てられた送達確認情報のためのリソースと定義する。例えば、上記リソースは、上記送達確認情報に対応する下りリンクの共有チャネルのリソース番号や、上記送達確認情報に対応する下りリンクの制御チャネル（ＤＬ  Ｓｃｈｅｄｕｌｉｎｇ  Ｉｎｆｏｒｍａｔｉｏｎ）のリソース番号に１対１対応していてもよい。また、リソースＢにおけるリソース番号＃ｎ＋３のリソースを、当該サブフレームが、当該移動局がＣＱＩを送信するサブフレームであると仮定した場合の、当該移動局に対して割り当てられたＣＱＩのためのリソースと定義する。なお、リソース番号のｎ及びｍは任意の自然数である。【０１５６】
尚、上記リソースは、周波数リソースであってもよいし、コードリソースであってもよいし、周波数リソースとコードリソースのＨｙｂｒｉｄであってもよい。あるいは、上記リソースは、ブロック拡散によって多重されるリソースであってもよいし、時間リソースであってもよいし、それら、あるいは、周波数リソースとコードリソースのＨｙｂｒｉｄであってもよい。すなわち、上記リソースの定義は、下りリンクの共有チャネルに対する送達確認情報およびＣＱＩが、ＰＵＣＣＨにおいて多重される際の多重方法に依存して決定される。上記多重方法がＣＤＭＡである場合には、上記リソースはコードリソースになり、上記多重方法がＦＤＭＡである場合には、上記リソースは周波数リソースになり、上記多重方法がＣＤＭＡとＦＤＭＡのＨｙｂｒｉｄである場合には、上記リソースはコードリソースと周波数リソースのＨｙｂｒｉｄになる。また、上記CDMAにおいては、Walsh符号によるコード多重や、CAZAC系列によるコード多重等が存在する。【０１５７】
下りリンクの共有チャネルに対する送達確認情報には、上りリンク共有チャネルと時間多重される場合と、システム帯域の両端に位置するＰＵＣＣＨにマッピングされる場合とが存在する。また、システム帯域の両端に位置するＰＵＣＣＨにマッピングされる場合には、ＣＱＩと多重される場合（上記の（２−２））と、ＣＱＩと多重されない場合（上記の（２−１）とが存在する。基地局装置がこのような場合を判別して、送達確認情報を受信する手順を以下に示す。【０１５８】
基地局装置は、当該サブフレームにおいて上りリンクの共有チャネルを受信する予定であるか否かを判定する（Ｓ４０１）。具体的には、移動局にＳｃｈｅｄｕｌｉｎｇ  Ｇｒａｎｔを送信した場合には、上りリンクの共有チャネルを受信する予定であると判定し、Ｓｃｈｅｄｕｌｉｎｇ  Ｇｒａｎｔを送信していない場合には、上りリンクの共有チャネルを受信する予定でないと判定する。より具体的には、例えば、図５においては、サブフレーム＃ｉ＋３が、上りリンクの共有チャネルを受信する予定であるサブフレームであり、＃ｉ＋３以外のサブフレームが、上りリンクの共有チャネルを受信する予定ではないサブフレームである。あるいは、例えば、図６においては、サブフレーム＃ｉ＋３及び＃ｉ＋９が、上りリンクの共有チャネルを受信する予定であるサブフレームであり、＃ｉ＋３と＃ｉ＋９以外のサブフレームが、上りリンクの共有チャネルを受信する予定ではないサブフレームである。図９のサブフレーム＃ｉ＋９に示されるように、当該移動局にＵＬ  Ｓｃｈｅｄｕｌｉｎｇ  Ｇｒａｎｔが送信していない場合でも、上りリンクの共有チャネルに対する送達確認情報としてＮＡＣＫを送信している場合には、その再送タイミングのサブフレームは、上りリンクの共有チャネルを受信する予定であるサブフレームとなる。すなわち、当該サブフレームより所定のサブフレーム分だけ過去に物理下りリンク制御チャネルにより、Ｕｐｌｉｎｋ  Ｓｃｈｅｄｕｌｉｎｇ  Ｇｒａｎｔを送信している場合、または、当該サブフレームより所定のサブフレーム分だけ過去に物理下りリンク制御チャネルにより、上りリンクの共有チャネルに対する送達確認情報としてＮＡＣＫを送信している場合に、当該サブフレームは、上りリンクの共有チャネルを受信する予定であるサブフレームとなる。【０１５９】
当該サブフレームにおいて上りリンクの共有チャネルを受信する予定である場合には（Ｓ４０１のＹＥＳ）、基地局装置は、図９に従って、移動局１００ｎが実際に上りリンクの共有チャネルを送信したか否かを判定する（Ｓ４０３）。移動局１００ｎが実際に上りリンクの共有チャネルを送信したと判定された場合（Ｓ４０３のＹＥＳ）、基地局装置は上りリンクの共有チャネルの復号を行う（Ｓ４０５）。次に、基地局装置は、当該サブフレームにおいて下りリンクの共有チャネルに対する送達確認情報を受信する予定であるか否かを判定する（Ｓ４０７）。送達確認情報を受信する予定である場合には（Ｓ４０７のＹＥＳ）、上りリンクの共有チャネルと時間多重された送達確認情報を受信する（Ｓ４０９）。送達確認情報を受信する予定でない場合には（Ｓ４０７のＮＯ）、送達確認情報を受信しない。【０１６０】
一方、当該サブフレームにおいて上りリンクの共有チャネルを受信する予定でない場合（Ｓ４０１のＮＯ）、又は移動局１００ｎが実際に上りリンクの共有チャネルを送信なかったと判定された場合（Ｓ４０３のＮＯ）、基地局装置は、システム帯域の両端にマッピングされるＰＵＣＣＨを確認する。このため、基地局装置は、当該サブフレームにおいて、下りリンクの共有チャネルに対する送達確認情報を受信する予定であるか否かを判定する（Ｓ４１１）。より具体的には、例えば、図７においては、サブフレーム＃ｉ＋３が、下りリンクの共有チャネルに対する送達確認情報を受信する予定であるサブフレームであり、＃ｉ＋３以外のサブフレームが、下りリンクの共有チャネルに対する送達確認情報を受信する予定ではないサブフレームである。すなわち、当該サブフレームより所定のサブフレーム分だけ過去に物理下りリンク制御チャネルにより、Ｄｏｗｎｌｉｎｋ  Ｓｃｈｅｄｕｌｉｎｇ  Ｉｎｆｏｒｍａｔｉｏｎを送信している場合に、当該サブフレームは、下りリンクの共有チャネルに対する送達確認情報を受信する予定であるサブフレームとなる。【０１６１】
送達確認情報を受信する予定でない場合には（Ｓ４１１のＮＯ）、送達確認情報を受信しない。送達確認情報を受信する予定である場合には（Ｓ４１１のＹＥＳ）、当該サブフレームにおいてＣＱＩを受信する予定であるか否かを判定する（Ｓ４１３）。ＣＱＩを受信する予定である場合（Ｓ４１３のＹＥＳ）、上記の（２−２）（ＡＣＫとＣＱＩやＳｃｈｅｄｕｌｉｎｇ  Ｒｅｑｕｅｓｔ、Ｒｅｌｅａｓｅ  Ｒｅｑｕｅｓｔが多重される場合）に従って、基地局装置は、リソースＢ（リソース番号：＃ｎ＋３）にマッピングされたＣＱＩと多重された送達確認情報を受信する（Ｓ４１５）。ＣＱＩを受信する予定でない場合（Ｓ４１３のＮＯ）、上記の（２−１）（ＡＣＫのみが送信される場合）に従って、基地局装置は、リソースＡ（リソース番号：＃２）にマッピングされた送達確認情報を受信する（Ｓ４１７）。【０１６２】
<上りリンクのＣＱＩ受信方法の手順>
図１４を参照して、基地局装置における上りリンクのＣＱＩの受信方法について説明する。【０１６３】
ＣＱＩには、上りリンク共有チャネルと時間多重される場合と、システム帯域の両端に位置するＰＵＣＣＨにマッピングされる場合とが存在する。また、システム帯域の両端に位置するＰＵＣＣＨにマッピングされる場合には、送達確認情報と多重される場合と、送達確認情報と多重されない場合とが存在する。基地局装置がこのような場合を判別して、ＣＱＩを受信する手順を以下に示す。【０１６４】
基地局装置は、当該サブフレームにおいて上りリンクの共有チャネルを受信する予定であるか否かを判定する（Ｓ５０１）。具体的には、移動局にＳｃｈｅｄｕｌｉｎｇ  Ｇｒａｎｔを送信した場合には、上りリンクの共有チャネルを受信する予定であると判定し、Ｓｃｈｅｄｕｌｉｎｇ  Ｇｒａｎｔを送信していない場合には、上りリンクの共有チャネルを受信する予定でないと判定する。より具体的には、例えば、図５においては、サブフレーム＃ｉ＋３が、上りリンクの共有チャネルを受信する予定であるサブフレームであり、＃ｉ＋３以外のサブフレームが、上りリンクの共有チャネルを受信する予定ではないサブフレームである。あるいは、例えば、図６においては、サブフレーム＃ｉ＋３及び＃ｉ＋９が、上りリンクの共有チャネルを受信する予定であるサブフレームであり、＃ｉ＋３と＃ｉ＋９以外のサブフレームが、上りリンクの共有チャネルを受信する予定ではないサブフレームである。図９のサブフレーム＃ｉ＋９に示されるように、当該移動局にＵＬ  Ｓｃｈｅｄｕｌｉｎｇ  Ｇｒａｎｔが送信していない場合でも、上りリンクの共有チャネルに対する送達確認情報としてＮＡＣＫを送信している場合には、その再送タイミングのサブフレームは、上りリンクの共有チャネルを受信する予定であるサブフレームとなる。すなわち、当該サブフレームより所定のサブフレーム分だけ過去に物理下りリンク制御チャネルにより、Ｕｐｌｉｎｋ  Ｓｃｈｅｄｕｌｉｎｇ  Ｇｒａｎｔを送信している場合、または、当該サブフレームより所定のサブフレーム分だけ過去に物理下りリンク制御チャネルにより、上りリンクの共有チャネルに対する送達確認情報としてＮＡＣＫを送信している場合に、当該サブフレームは、上りリンクの共有チャネルを受信する予定であるサブフレームとなる。【０１６５】
当該サブフレームにおいて上りリンクの共有チャネルを受信する予定である場合には（Ｓ５０１のＹＥＳ）、基地局装置は、図９に従って、移動局１００ｎが実際に上りリンクの共有チャネルを送信したか否かを判定する（Ｓ５０３）。移動局１００ｎが実際に上りリンクの共有チャネルを送信したと判定された場合（Ｓ５０３のＹＥＳ）、基地局装置は上りリンクの共有チャネルの復号を行う（Ｓ５０５）。次に、基地局装置は、当該サブフレームにおいてＣＱＩを受信する予定であるか否かを判定する（Ｓ５０７）。ＣＱＩを受信する予定である場合には（Ｓ５０７のＹＥＳ）、上りリンクの共有チャネルと時間多重されたＣＱＩを受信する（Ｓ５０９）。尚、基地局装置は、Ｓ５０９において、図１１に従ってＣＱＩ信頼度判定を行ってもよい。ＣＱＩを受信する予定でない場合には（Ｓ５０７のＮＯ）、ＣＱＩを受信しない。【０１６６】
一方、当該サブフレームにおいて上りリンクの共有チャネルを受信する予定でない場合（Ｓ５０１のＮＯ）、又は移動局１００ｎが実際に上りリンクの共有チャネルを送信なかったと判定された場合（Ｓ５０３のＮＯ）、基地局装置は、システム帯域の両端にマッピングされるＰＵＣＣＨを確認する。このため、基地局装置は、当該サブフレームにおいて、ＣＱＩを受信する予定であるか否かを判定する（Ｓ５１１）。ＣＱＩを受信する予定でない場合には（Ｓ５１１のＮＯ）、ＣＱＩを受信しない。ＣＱＩを受信する予定である場合には（Ｓ５１１のＹＥＳ）、当該サブフレームにおいて下りリンクの共有チャネルに対する送達確認情報を受信する予定であるか否かを判定する（Ｓ５１３）。より具体的には、例えば、図７においては、サブフレーム＃ｉ＋３が、下りリンクの共有チャネルに対する送達確認情報を受信する予定であるサブフレームであり、＃ｉ＋３以外のサブフレームが、下りリンクの共有チャネルに対する送達確認情報を受信する予定ではないサブフレームである。すなわち、当該サブフレームより所定のサブフレーム分だけ過去に物理下りリンク制御チャネルにより、Ｄｏｗｎｌｉｎｋ  Ｓｃｈｅｄｕｌｉｎｇ  Ｉｎｆｏｒｍａｔｉｏｎを送信している場合に、当該サブフレームは、下りリンクの共有チャネルに対する送達確認情報を受信する予定であるサブフレームとなる。【０１６７】
送達確認情報を受信する予定でない場合（Ｓ５１３のＮＯ）、基地局装置は、ＰＵＣＣＨのリソースＢ（リソース番号：＃ｎ＋３）にマッピングされたＣＱＩを受信する（Ｓ５１９）。送達確認情報を受信する予定である場合（Ｓ５１３のＹＥＳ）、上記の（２−２）（ＡＣＫとＣＱＩやＳｃｈｅｄｕｌｉｎｇ  Ｒｅｑｕｅｓｔ、Ｒｅｌｅａｓｅ  Ｒｅｑｕｅｓｔが多重される場合）に従って、基地局装置は、リソースＢ（リソース番号：＃ｎ＋３）において実際に移動局が送達確認情報を送信したか否かを判定する（Ｓ５１５）。移動局が送達確認情報を送信したと判定した場合（Ｓ５１５のＹＥＳ）、基地局装置はＰＵＣＣＨのリソースＢ（リソース番号：＃ｎ＋３）において送達確認情報と多重されたＣＱＩを受信する（Ｓ５１７）。移動局が送達確認情報を送信していないと判定した場合（Ｓ５１５のＮＯ）、基地局装置はＰＵＣＣＨのリソースＢ（リソース番号：＃ｎ＋３）にマッピングされたＣＱＩを受信する（Ｓ５１９）。【０１６８】
尚、上述したＳ５１５において、基地局装置は、リソースＢ（リソース番号：＃ｎ＋３）において実際に移動局が送達確認情報を送信したか否かを判定したが、代わりに、基地局装置は、Ｓ５１５において、常に、実際に移動局が送達確認情報を送信したと判定してもよい。例えば、送達確認情報とＣＱＩの多重方法として、ＣＱＩが送信されるＰＵＣＣＨのＤｅｍｏｄｕｌａｔｉｏｎ  Ｒｅｆｅｒｅｎｃｅ  Ｓｉｇｎａｌの中に、上記送達確認情報の信号が埋め込まれている場合がある。この場合、移動局が実際に送達確認情報を送信する／しないに関わらず、基地局装置にとっては、常に送達確認情報が送信されているように見える。よって、基地局装置は、Ｓ５１５において、常に、実際に移動局が送達確認情報を送信したと判定することになる。【０１６９】
上記のように、本発明の実施例によれば、ＬＴＥの下りリンクと上りリンクにおいて、適切にスケジューリング処理やＨＡＲＱの処理を行うことのできる基地局装置を実現できる。【０１７０】
尚、上述した記載において、下りリンク及び上りリンクのHARQのRound Trip Time (RTT)は、６を前提として記載しているが、６以外の場合にも、本発明の実施例に記載されている装置、処理が適用されてもよい。例えば、下りリンク及び上りリンクのHARQのRTTが８の場合に、本発明の実施例に記載されている装置、処理が適用されてもよい。
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。【０１７１】
すなわち、本発明はここでは記載していない様々な実施形態等を含むことは勿論である。従って、本発明の技術的範囲は上記の説明から妥当な特許請求の範囲に係る発明特定事項によってのみ定められるものである。【０１７２】
説明の便宜上、本発明を幾つかの実施例に分けて説明したが、各実施例の区分けは本発明に本質的ではなく、２以上の実施例が必要に応じて使用されてよい。発明の理解を促すため具体的な数値例を用いて説明したが、特に断りのない限り、それらの数値は単なる一例に過ぎず適切な如何なる値が使用されてよい。【０１７３】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。【０１７４】
本国際出願は２００７年３月１日に出願した日本国特許出願２００７−０５２１１２号及び２００７年５月１日に出願した日本国特許出願２００７−１２１３０１号に基づく優先権を主張するものであり、２００７−０５２１１２号及び２００７−１２１３０１号の全内容を本国際出願に援用する。
【図１】
2008105421.tif 000004
【図２】
2008105421.tif 000005
【図３】
2008105421.tif 000006
【図４】
2008105421.tif 000007
【図５】
2008105421.tif 000008
【図６】
2008105421.tif 000009
【図７】
2008105421.tif 000010
【図８Ａ】
2008105421.tif 000011
【図８Ｂ】
2008105421.tif 000012
【図８Ｃ】
2008105421.tif 000013
【図８Ｄ】
2008105421.tif 000014
【図９】
2008105421.tif 000015
【図１０】
2008105421.tif 000016
【図１１】
2008105421.tif 000017
【図１２】
2008105421.tif 000018
【図１３】
2008105421.tif 000019
【図１４】
2008105421.tif 000020
【国際調査報告】
2008105421.tif 000021
2008105421.tif 000022
2008105421.tif 000023
2008105421.tif 000024